(57)【要約】【課題】、開蓋、閉蓋のために必要とする上面のスペースを小さくすることが可能なプッシュオン蓋付き容器を提供する。【解決手段】上面近傍に開口部１を有した容器本体２を設け、容器本体２に嵌合した取付枠４を設け、取付枠４に投入口５を設け、開き方向に付勢するバネ６を介して投入口５を開閉する蓋体７を設け、蓋体７を掛止する揺動自在な掛止部材８を取付枠４の一端に設け、掛止部材８を押圧して蓋体７が開放できるようにしたプッシュオン蓋付き容器９において、蓋体７を支持する蓋体支持脚１０を蓋体７に一体的に設け、容器本体２の側面部１１にて蓋体支持脚１０を回動自在に軸支し、閉じ位置１５の蓋体７をバネ６により開き方向１９に回転させ設け、バネ６により開き方向１９に回転しようとする閉じ位置１５の蓋体７を掛止部材８で掛止することにより閉じ位置１５で蓋体７が静止するプッシュオン蓋付き容器。【選択図】図１
2007297116.tif 000002
【特許請求の範囲】
【請求項１】
上面近傍に開口部を有した容器本体を設け、上記容器本体の上縁近傍の周囲に嵌合した取付枠を設け、上記取付枠に投入口を設け、開き方向に付勢するように配置したバネを介して上記投入口を開閉する蓋体を設け、上記蓋体を掛止する揺動自在な掛止部材を上記取付枠の一端に設け、上記掛止部材を押圧して上記蓋体が開放できるようにしたプッシュオン蓋付き容器において、上記蓋体を支持する蓋体支持脚を該蓋体に一体的に設け、上記容器本体の側面部にて該容器本体の前後方向に該蓋体支持脚を回動自在に軸支し、該容器本体の前方向の回転を上記投入口が開く開き方向とし該容器本体の後方向の回転を該投入口が閉じる閉じ方向として、または、該容器本体の後方向の回転を該投入口が開く開き方向とし該容器本体の前方向の回転を該投入口が閉じる閉じ方向として、該軸支している軸上で該蓋体支持脚および該蓋体が平衡により静止する位置近傍から、該開き方向に該蓋体を回転させ該投入口を該蓋体が開く開き位置を配置し、該平衡により静止する位置近傍にて該投入口を該蓋体が閉じる閉じ位置を配置し又は該平衡により静止する位置近傍から該閉じ方向に該蓋体を回転させ該投入口を該蓋体が閉じる閉じ位置を配置し、該閉じ位置の該蓋体を上記バネにより該開き方向に回転させ設け、該バネにより該開き方向に回転しようとする該閉じ位置の該蓋体を上記掛止部材で掛止することにより該閉じ位置で該蓋体が静止し、該掛止部材を押圧することにより掛止していた該蓋体が開放し該開き方向に該バネにより該蓋体が回転し、該平衡により静止する位置近傍から、該蓋体支持脚および該蓋体の自重による力が加わり該開き方向に該蓋体が回転することを特徴とするプッシュオン蓋付き容器。
【請求項２】
上面近傍に開口部を有した容器本体を設け、この容器本体の上縁近傍の周囲に嵌合した取付枠を設け、この取付枠に投入口を設け、この投入口を開閉する蓋体を設け、この蓋体を掛止する揺動自在な掛止部材をこの取付枠の一端に設け、この掛止部材を押圧して此の蓋体が開放できるようにしたプッシュオン蓋付き容器において、この蓋体を支持する蓋体支持脚を該蓋体に一体的に設け、この容器本体の側面部にて該容器本体の前後方向に該蓋体支持脚を回動自在に軸支し、該容器本体の前方向の回転をこの投入口が開く開き方向とし該容器本体の後方向の回転を該投入口が閉じる閉じ方向として、または、該容器本体の後方向の回転を該投入口が開く開き方向とし該容器本体の前方向の回転を該投入口が閉じる閉じ方向として、該軸支している軸上で該蓋体支持脚および該蓋体が平衡により静止する位置近傍から、該蓋体支持脚および該蓋体の自重により該開き方向に該蓋体が回転し該投入口を該蓋体が開く開き位置を配置し、該平衡により静止する位置近傍にて該投入口を該蓋体が閉じる閉じ位置を配置し又は該平衡により静止する位置近傍から該自重により該閉じ方向に該蓋体が回転し該投入口を該蓋体が閉じる閉じ位置を配置し、該蓋体をこの掛止部材で掛止することにより該閉じ位置で該蓋体が静止し、該掛止部材を押圧することにより掛止していた該蓋体が開放し、該平衡により静止する位置近傍から、該自重による力が加わり該開き方向に該蓋体が回転することを特徴とするプッシュオン蓋付き容器。
【請求項３】
請求項１〜２に記載のプッシュオン蓋付き容器において、前記閉じ方向に付勢する緩衝用ばねを設け、前記開き方向に前記蓋体が回転する力を、該緩衝用ばねにより緩衝することを特徴とするプッシュオン蓋付き容器。
【発明の詳細な説明】
【技術分野】
【０００１】
本発明は、ごみ容器等に利用するプッシュオン蓋付き容器に関する。
【背景技術】
【０００２】
一般に、投入口に枢支した蓋により開蓋、閉蓋可能で蓋により閉寒する箱において、投入口の中央部等に蓋の中央部等を回動自在に枢支することによりシーソー状に開蓋、閉蓋可能なスイング式（例えば、特許文献１参照）、投入口の側端に側端を枢支した蓋によりフラップ状に開蓋、閉蓋可能で、蓋の閉状態を維持しているロック機構を手で解除する動作で開放することにより、力が加わって変形していた軸部にある弾性体が開放されて元に戻ろうとする力で蓋が開くプッシュオン式（例えば、特許文献２参照）がある。
【特許文献１】特開平９−１２４１０３号公報
【特許文献２】特開平７−４１０２４号公報
【発明の開示】
【発明が解決しようとする課題】
【０００３】
前記従来例の前者のスイング式は、閉じている蓋の下面等のスペースを使用して蓋が開き、投入口の中央部等に枢支した蓋の中央部等から蓋の先端までの長さを半径とした円を描きながら蓋が開くため、開蓋、閉蓋のために必要とする下面等のスペースは、前記長さに比例し、投入口を大きくするために、前記長さを長くすると、前記スペースも大きくなるという問題がある。よって、前記問題により、容器の容量において縦方向の制限を受けるという問題がある。また、スイング式は、物の投入、内挿等を手で行う場合、蓋を開けるため下方へ蓋を押動し、蓋は開くが押動する力を除去すると自重からくる反動により直ちに蓋は戻され閉じ方向に可動する。このため、片手で行う場合は、物の投入、内挿等を素早く行わないと片手又は物が蓋と箱の間に挟まれる。または、片手で行う場合にて素早く行わない場合は、閉じ方向に可動しようとする蓋を片手で止めながら、物の投入、内挿等を同じ片手で行うという２つの動作を同時に行わなければならず、手にかかる負担が一時的に集中する。スイング式のうち、閉じ方向に付勢するバネを具備しているものは、さらに手にかかる負担が一時的に集中する。つまり、スイング式については、物の投入、内挿等は両手で行うのが好ましく、片手で行う場合には利便性が高いとはいえないという問題がある。本発明は、前記問題を解消し、開蓋、閉蓋のために必要とする下面のスペースが大きくなることを防ぐことが可能で、物の投入、内挿等を片手で行う場合、２つの動作を同時に行わずに済み、手にかかる負担が一時的に集中するのを防ぐことが可能な、プッシュオン蓋付き容器を提供することを目的とする。
【０００４】
前記従来例の後者のプッシュオン式は、閉じている蓋の上面のスペースを使用して蓋が開き、投入口の側端に枢支した蓋の側端から蓋の先端までの長さを半径とした円を描きながら蓋が開くため、開蓋、閉蓋のために必要とする上面のスペースは、前記長さに比例し、投入口を大きくするために、前記長さを長くすると、前記スペースも大きくなるという問題がある。また、前記問題により、容器の高さが制限を受け、よって、容器の容量も縦方向の制限を受けるという問題がある。また、プッシュオン式は、蓋を開いた場合の投入口の容積の充分な確保のため、閉蓋から開蓋までの角度を約９０度前後にするので、そのため蓋を開くために設けた弾性体の変形時の圧力を極端に小さく出来ない。よって、蓋を開く時にロック機構を解除するために手等で押圧する場合の押圧する力を小さくすることが難しいという問題がある。本発明は、前記諸問題を解消し、開蓋、閉蓋のために必要とする上面のスペースが大きくなることを防ぐことが可能で、ロック機構を解除するために手等で押圧する場合の押圧する力を軽減することができる、プッシュオン蓋付き容器を提供することを目的とする。
【０００５】
さらに、開蓋、閉蓋のために必要とするスペースの全体の容積を小さくすることができる、プッシュオン蓋付き容器を提供することを目的とする。
【課題を解決するための手段】
【０００６】
本発明によると上記課題は、次のようにして解決される。
（１）上面近傍に開口部を有した容器本体を設け、上記容器本体の上縁近傍の周囲に嵌合した取付枠を設け、上記取付枠に投入口を設け、開き方向に付勢するように配置したバネを介して上記投入口を開閉する蓋体を設け、上記蓋体を掛止する揺動自在な掛止部材を上記取付枠の一端に設け、上記掛止部材を押圧して上記蓋体が開放できるようにしたプッシュオン蓋付き容器において、上記蓋体を支持する蓋体支持脚を該蓋体に一体的に設け、上記容器本体の側面部にて該容器本体の前後方向に該蓋体支持脚を回動自在に軸支し、該容器本体の前方向の回転を上記投入口が開く開き方向とし該容器本体の後方向の回転を該投入口が閉じる閉じ方向として、または、該容器本体の後方向の回転を該投入口が開く開き方向とし該容器本体の前方向の回転を該投入口が閉じる閉じ方向として、該軸支している軸上で該蓋体支持脚および該蓋体が平衡により静止する位置近傍から、該開き方向に該蓋体を回転させ該投入口を該蓋体が開く開き位置を配置し、該平衡により静止する位置近傍にて該投入口を該蓋体が閉じる閉じ位置を配置し又は該平衡により静止する位置近傍から該閉じ方向に該蓋体を回転させ該投入口を該蓋体が閉じる閉じ位置を配置し、該閉じ位置の該蓋体を上記バネにより該開き方向に回転させ設け、該バネにより該開き方向に回転しようとする該閉じ位置の該蓋体を上記掛止部材で掛止することにより該閉じ位置で該蓋体が静止し、該掛止部材を押圧することにより掛止していた該蓋体が開放し該開き方向に該バネにより該蓋体が回転し、該平衡により静止する位置近傍から、該蓋体支持脚および該蓋体の自重による力が加わり該開き方向に該蓋体が回転することを特徴とするプッシュオン蓋付き容器とする。
【０００７】
（２）上面近傍に開口部を有した容器本体を設け、この容器本体の上縁近傍の周囲に嵌合した取付枠を設け、この取付枠に投入口を設け、この投入口を開閉する蓋体を設け、この蓋体を掛止する揺動自在な掛止部材をこの取付枠の一端に設け、この掛止部材を押圧して此の蓋体が開放できるようにしたプッシュオン蓋付き容器において、この蓋体を支持する蓋体支持脚を該蓋体に一体的に設け、この容器本体の側面部にて該容器本体の前後方向に該蓋体支持脚を回動自在に軸支し、該容器本体の前方向の回転をこの投入口が開く開き方向とし該容器本体の後方向の回転を該投入口が閉じる閉じ方向として、または、該容器本体の後方向の回転を該投入口が開く開き方向とし該容器本体の前方向の回転を該投入口が閉じる閉じ方向として、該軸支している軸上で該蓋体支持脚および該蓋体が平衡により静止する位置近傍から、該蓋体支持脚および該蓋体の自重により該開き方向に該蓋体が回転し該投入口を該蓋体が開く開き位置を配置し、該平衡により静止する位置近傍にて該投入口を該蓋体が閉じる閉じ位置を配置し又は該平衡により静止する位置近傍から該自重により該閉じ方向に該蓋体が回転し該投入口を該蓋体が閉じる閉じ位置を配置し、該蓋体をこの掛止部材で掛止することにより該閉じ位置で該蓋体が静止し、該掛止部材を押圧することにより掛止していた該蓋体が開放し、該平衡により静止する位置近傍から、該自重による力が加わり該開き方向に該蓋体が回転することを特徴とするプッシュオン蓋付き容器とする。
【０００８】
（３）上記（１）〜（２）項に記載のプッシュオン蓋付き容器において、前記閉じ方向に付勢する緩衝用ばねを設け、前記開き方向に前記蓋体が回転する力を、該緩衝用ばねにより緩衝することを特徴とするプッシュオン蓋付き容器とする。
【発明の効果】
【０００９】
本発明によれば、次のような効果を奏する。
（１）本発明の請求項１記載の発明によれば、開蓋、閉蓋のために必要とする上面及び下面のスペースを小さくでき、容器本体の容量も縦方向の制限を受けにくく、開蓋、閉蓋のために必要とするスペースの全体容量は投入口の面積に対して小さくて済み、物の投入、内挿等を片手で行う場合において、片手又は物が蓋と箱の間に挟まれる恐れがなく、手の動作への負担を軽減することができ、また、掛止部材を手等で押圧する場合の押圧する力を軽減することができる。
【００１０】
（２）本発明の請求項２記載の発明によれば、開蓋、閉蓋のために必要とする上面及び下面のスペースを小さくでき、容器本体の容量も縦方向の制限を受けにくく、開蓋、閉蓋のために必要とするスペースの全体容量は投入口の面積に対して小さくて済み、物の投入、内挿等を片手で行う場合において、片手又は物が蓋と箱の間に挟まれる恐れがなく、手の動作への負担を軽減することができる。
【００１１】
（３）本発明の請求項３記載の発明によれば、開蓋、閉蓋のために必要とする上面及び下面のスペースを小さくでき、容器本体の容量も縦方向の制限を受けにくく、開蓋、閉蓋のために必要とするスペースの全体容量は投入口の面積に対して小さくて済み、物の投入、内挿等を片手で行う場合において、片手又は物が蓋と箱の間に挟まれる恐れがなく、手の動作への負担を軽減することができ、また、容器本体で蓋体を衝止する場合等に発生する接触音を低減することができる。
【発明を実施するための最良の形態】
【００１２】
以下に、添付図面に基づいて本発明の実施の形態について詳細に説明するが、本発明の範囲は、以下に説明される実施の形態に限定されるものではない。最初に図についての説明を一部記載する。図３、図４は、本発明の一実施形態である、プッシュオン蓋付き容器（９）の一部を描いた正面図、図１１、図１２は、本発明の他の一実施形態である、プッシュオン蓋付き容器（９ｂ）の一部を描いた正面図、図１８は、本発明のプッシュオン蓋付き容器の一部を示し、蓋体の拡大部分図である。図１８は、蓋体の位置関係または蓋体の長さ等を説明したものであり、図１８（ａ）は図３、図１１に対応しており、図１８（ｂ）は図４、図１２に対応している。図１８（ａ）について、蓋体支持脚（１０）の短手方向においての任意の点における長さ（２１）のセンターラインと、蓋体（７）の長手方向における長さ（２２）のセンターラインは、同一のセンターライン（２３）にしてある。図１８（ａ）において、センターライン（２３）から蓋体（７）の一端までの長さ（Ｌ）と、センターライン（２３）から蓋体（７）の他の一端の途中までの長さ（Ｌａ）は同じ長さであり、長さ（Ｌｂ）は長さ（Ｌ）より長さ（Ｒ）だけ長く設けてある。よって、孔（３７）の位置で蓋体（７）を軸支した場合、蓋体支持脚（１０）および蓋体（７）の重さが平衡する位置は、図４、図１２、図１８（ｂ）に図示する蓋体（７）の位置のように、センターライン（２３）から開き方向（１９）に蓋体（７）が僅かに傾く位置となる。つまり、図４、図１２、図１８（ｂ）は、蓋体支持脚および蓋体の重さが平衡により静止する位置の蓋体を描いてある。また、図３、図１１、図１８（ａ）の蓋体の位置は、蓋体支持脚および蓋体の重さが平衡により静止する位置近傍の蓋体の閉じ位置を描いており、図４、図１２、図１８（ｂ）の蓋体の位置と比べると、閉じ方向（２０）（２０ｂ）に僅かに傾いている。図４、図１２、図１８（ｂ）の蓋体（７）の位置を例えば閉じ位置とした場合、蓋体（７）の開閉の度合の表示の代わりを果たす蓋体支持脚（１０）の中央の位置がセンターライン（２３）より開き方向（１９）（１９ｂ）に僅かに傾いているため、蓋体（７）が閉じ位置に確実にあるかわからないという不安感を与える場合がある。つまり、図３、図１１、図１８（ａ）の蓋体（７）の位置を閉じ位置にすることにより、蓋体支持脚（１０）の中央の位置がセンターライン（２３）に位置することになり、蓋体（７）が閉じ位置に確実にあるという精神的な安定感を与えることができる。特に図中に記載していないが、この明細書に記載の図は、図１８（ａ）に図示してある蓋体の長さ（Ｌ）（Ｌａ）（Ｌｂ）（Ｒ）とすべて同じにしてある。また、図１６は、本発明の他の一実施形態である、プッシュオン蓋付き容器（９ｄ）の一部を描いた正面図であり、図１８（ｃ）は図１６に対応している。図１６、図１８（ｃ）は、蓋体支持脚および蓋体の重さが平衡により静止する位置近傍の蓋体の閉じ位置を描いており、図４、図１２、図１８（ｂ）の蓋体の位置と比べると、蓋体の位置は開き方向（１９ｄ）に僅かに傾いている。よって、掛止部材（８ｄ）を設けてある位置は、図３、図１１に比べて、図１６は僅かに図面の右側に設けてある。また、各図において、容器本体の後方向の回転を投入口が開く開き方向（１９）（１９ｂ）（１９ｄ）（１９ｉ）（１９ｊ）（１９ｋ）とし、容器本体の前方向の回転を投入口が閉じる閉じ方向（２０）（２０ａ）（２０ｂ）（２０ｃ）（２０ｄ）（２０ｊ）（２０ｋ）としてある。
【００１３】
次に本明細書に記載のプッシュオン蓋付き容器の種類と符号についての説明を一部記載する。説明については、プッシュオン蓋付き容器（９）を基本としている。プッシュオン蓋付き容器（９ａ）は、該容器（９）に緩衝用ばねを設け、かつ、該容器（９）に緩衝用ばねを設けた容器と比べて閉じ位置は蓋体が閉じ方向に傾いている。プッシュオン蓋付き容器（９ｂ）は、該容器（９）にバネ（６）を設けていないものである。プッシュオン蓋付き容器（９ｃ）は、該容器（９ｂ）に緩衝用ばねを設け、かつ、該容器（９ｂ）に緩衝用ばねを設けた容器と比べて閉じ位置は蓋体が閉じ方向に傾いている。プッシュオン蓋付き容器（９ｄ）は、該容器（９ｂ）に緩衝用ばねを設け、かつ、該容器（９ｂ）に緩衝用ばねを設けた容器の、該平衡により静止する位置より、閉じ位置は、蓋体が開き方向に僅かに傾いている。プッシュオン蓋付き容器（９ｈ）は、該容器（９）のバネ（６）の取付等について変更したものである。プッシュオン蓋付き容器（９ｉ）は、該容器（９）に可動式ストッパーを設けた容器である。プッシュオン蓋付き容器（９ｊ）は、該容器（９）に取付枠（４）を設けていないもので設けていないため掛止部材を容器本体の一端に設けてあるものである。プッシュオン蓋付き容器（９ｋ）は、該容器（９ｊ）にバネ（６ｊ）を設けていないものである。言い換えると、該容器（９ｋ）は、該容器（９ｂ）に取付枠（４ｂ）を設けていないもので設けていないため掛止部材を容器本体の一端に設けてあるものである。プッシュオン蓋付き容器（９ｎ）は、該容器（９ｊ）に取付枠を設けたものである。
【００１４】
次に本発明の一実施形態である、プッシュオン蓋付き容器（９）について記す。図１、図９は、プッシュオン蓋付き容器（９）の斜視図、図２は、プッシュオン蓋付き容器（９）を分解して描いた斜視図、図７は、プッシュオン蓋付き容器（９）の一部を描いた正面図である。プッシュオン蓋付き容器（９）は、図１〜図２、図７にて、上面近傍に開口部（１）を有した容器本体（２）を設け、上記容器本体（２）の上縁（３）近傍の周囲に嵌合した取付枠（４）を設け、上記取付枠（４）に投入口（５）を設け、開き方向に付勢するように配置したバネ（６）を介して上記投入口（５）を開閉する蓋体（７）を設け、上記蓋体（７）を掛止する揺動自在な掛止部材（８）を上記取付枠（４）の一端に設け、上記掛止部材（８）を押圧して上記蓋体（７）が開放できるようにしたプッシュオン蓋付き容器（９）である。上記蓋体（７）を支持する蓋体支持脚（１０）を該蓋体（７）に一体的に設けてある。上記容器本体（２）の側面部（１１）にて該容器本体（２）の前後方向（矢印Ｆ）（矢印Ｂ）に該蓋体支持脚（１０）を回動自在に軸支してある。該容器本体（２）の前方向（矢印Ｆ）の回転を上記投入口（５）が開く開き方向とし該容器本体（２）の後方向（矢印Ｂ）の回転を該投入口（５）が閉じる閉じ方向として、または、該容器本体（２）の後方向（矢印Ｂ）の回転を該投入口（５）が開く開き方向（１９）とし該容器本体（２）の前方向（矢印Ｆ）の回転を該投入口（５）が閉じる閉じ方向（２０）としてある。図４にて、該軸支している軸（１２）上で該蓋体支持脚（１０）および該蓋体（７）が平衡により静止する位置（１３）近傍から、図７において、該開き方向（１９）に該蓋体（７）を回転させ該投入口（５）を該蓋体（７）が開く開き位置（１４）を配置してある。図３にて、該平衡により静止する位置（１３）近傍にて該投入口（５）を該蓋体（７）が閉じる閉じ位置（１５）を配置してある。該閉じ位置（１５）の該蓋体（７）を上記バネ（６）により該開き方向（１９）に回転させ設けてある。該バネ（６）により該開き方向（１９）に回転しようとする該閉じ位置（１５）の該蓋体（７）を上記掛止部材（８）で掛止することにより該閉じ位置（１５）で該蓋体（７）が静止する。該掛止部材（８）を手等で押圧することにより、掛止していた該蓋体（７）が該閉じ位置（１５）から開放し、図４にて、該開き方向（１９）に該バネ（６）により該蓋体（７）が回転し、該平衡により静止する位置（１３）近傍から、該蓋体支持脚（１０）および該蓋体（７）の自重による力が加わり該開き方向（１９）に該蓋体（７）が回転する。
【００１５】
次に本発明の他の一実施形態である、プッシュオン蓋付き容器（９ｊ）について記す。プッシュオン蓋付き容器（９ｊ）は、プッシュオン蓋付き容器（９）に該取付枠（４）を設けていないものであり、該取付枠（４）を設けていないため掛止部材を容器本体の一端に設けてあるものである。図２５は、プッシュオン蓋付き容器（９ｊ）の斜視図、図２６は、プッシュオン蓋付き容器（９ｊ）の一部を描いた正面図である。プッシュオン蓋付き容器（９ｊ）は、図２５〜図２６にて、上面近傍に投入口（５ｊ）を有した容器本体（２ｊ）を設け、開き方向に付勢するように配置したバネ（６ｊ）を介して上記投入口（５ｊ）を開閉する蓋体（７ｊ）を設け、上記蓋体（７ｊ）を掛止する揺動自在な掛止部材（８ｊ）を上記容器本体（２ｊ）の一端に設け、上記掛止部材（８ｊ）を押圧して上記蓋体（７ｊ）が開放できるようにしたプッシュオン蓋付き容器（９ｊ）である。上記蓋体（７ｊ）を支持する蓋体支持脚（１０ｊ）を該蓋体（７ｊ）に一体的に設けてある。上記容器本体（２ｊ）の側面部（１１ｊ）にて該容器本体（２ｊ）の前後方向（矢印Ｆｊ）（矢印Ｂｊ）に該蓋体支持脚（１０ｊ）を回動自在に軸支してある。該容器本体（２ｊ）の前方向（矢印Ｆｊ）の回転を上記投入口（５ｊ）が開く開き方向とし該容器本体（２ｊ）の後方向（矢印Ｂｊ）の回転を該投入口（５ｊ）が閉じる閉じ方向として、または、該容器本体（２ｊ）の後方向（矢印Ｂｊ）の回転を該投入口（５ｊ）が開く開き方向（１９ｊ）とし該容器本体（２ｊ）の前方向（矢印Ｆｊ）の回転を該投入口（５ｊ）が閉じる閉じ方向（２０ｊ）としてある。該軸支している軸（１２ｊ）上で該蓋体支持脚（１０ｊ）および該蓋体（７ｊ）が平衡により静止する位置近傍から、該開き方向（１９ｊ）に該蓋体（７ｊ）を回転させ該投入口（５ｊ）を該蓋体（７ｊ）が開く開き位置を配置してある。該平衡により静止する位置近傍にて該投入口（５ｊ）を該蓋体（７ｊ）が閉じる閉じ位置（１５ｊ）を配置してある。該閉じ位置（１５ｊ）の該蓋体（７ｊ）を上記バネ（６ｊ）により該開き方向（１９ｊ）に回転させ設けてある。該バネ（６ｊ）により該開き方向（１９ｊ）に回転しようとする該閉じ位置（１５ｊ）の該蓋体（７ｊ）を上記掛止部材（８ｊ）で掛止することにより該閉じ位置（１５ｊ）で該蓋体（７ｊ）が静止する。該掛止部材（８ｊ）を手等で押圧することにより、掛止していた該蓋体（７ｊ）が該閉じ位置（１５ｊ）から開放し、該開き方向（１９ｊ）に該バネ（６ｊ）により該蓋体（７ｊ）が回転し、該平衡により静止する位置近傍から、該蓋体支持脚（１０ｊ）および該蓋体（７ｊ）の自重による力が加わり該開き方向（１９ｊ）に該蓋体（７ｊ）が回転する。
【００１６】
次に本発明の他の一実施形態である、プッシュオン蓋付き容器（９ｂ）について記す。プッシュオン蓋付き容器（９ｂ）は、プッシュオン蓋付き容器（９）に該バネ（６）を設けていないものである。図１３は、プッシュオン蓋付き容器（９ｂ）の一部を描いた正面図である。プッシュオン蓋付き容器（９ｂ）は、図１１にて、上面近傍に開口部を有した容器本体（２ｂ）を設け、この容器本体（２ｂ）の上縁近傍の周囲に嵌合した取付枠（４ｂ）を設け、この取付枠（４ｂ）に投入口（５ｂ）を設け、この投入口（５ｂ）を開閉する蓋体（７ｂ）を設け、この蓋体（７ｂ）を掛止する揺動自在な掛止部材（８ｂ）をこの取付枠（４ｂ）の一端に設け、この掛止部材（８ｂ）を押圧して此の蓋体（７ｂ）が開放できるようにしたプッシュオン蓋付き容器（９ｂ）である。この蓋体（７ｂ）を支持する蓋体支持脚（１０ｂ）を該蓋体（７ｂ）に一体的に設けてある。この容器本体（２ｂ）の側面部（１１ｂ）にて該容器本体（２ｂ）の前後方向に該蓋体支持脚（１０ｂ）を回動自在に軸支してある。該容器本体（２ｂ）の前方向の回転をこの投入口（５ｂ）が開く開き方向とし該容器本体（２ｂ）の後方向の回転を該投入口（５ｂ）が閉じる閉じ方向として、または、該容器本体（２ｂ）の後方向の回転を該投入口（５ｂ）が開く開き方向（１９ｂ）とし該容器本体（２ｂ）の前方向の回転を該投入口（５ｂ）が閉じる閉じ方向（２０ｂ）としてある。図１２にて、該軸支している軸（１２ｂ）上で該蓋体支持脚（１０ｂ）および該蓋体（７ｂ）が平衡により静止する位置（１３ｂ）近傍から、図１３にて、該蓋体支持脚（１０ｂ）および該蓋体（７ｂ）の自重により該開き方向（１９ｂ）に該蓋体（７ｂ）が回転し該投入口（５ｂ）を該蓋体（７ｂ）が開く開き位置（１４ｂ）を配置してある。図１１〜図１２にて、該平衡により静止する位置（１３ｂ）近傍にて該投入口（５ｂ）を該蓋体（７ｂ）が閉じる閉じ位置（１５ｂ）を配置してある。該蓋体（７ｂ）をこの掛止部材（８ｂ）で掛止することにより該閉じ位置（１５ｂ）で該蓋体（７ｂ）が静止する。該掛止部材（８ｂ）を手等で押圧することにより、掛止していた該蓋体（７ｂ）が開放する。図１２にて、該平衡により静止する位置（１３ｂ）近傍から、該蓋体支持脚（１０ｂ）および該蓋体（７ｂ）の自重による力が加わり該開き方向（１９ｂ）に該蓋体（７ｂ）が回転する。
【００１７】
次に本発明の他の一実施形態である、プッシュオン蓋付き容器（９ｋ）について記す。プッシュオン蓋付き容器（９ｋ）は、プッシュオン蓋付き容器（９ｊ）に該バネ（６ｊ）を設けていないものである。言い換えると、プッシュオン蓋付き容器（９ｋ）は、プッシュオン蓋付き容器（９ｂ）に該取付枠（４ｂ）を設けていないものであり、該取付枠（４ｂ）を設けていないため掛止部材を容器本体の一端に設けてあるものである。図２７は、プッシュオン蓋付き容器（９ｋ）の一部を描いた正面図である。プッシュオン蓋付き容器（９ｋ）は、図２７にて、上面近傍に投入口（５ｋ）を有した容器本体（２ｋ）を設け、この投入口（５ｋ）を開閉する蓋体（７ｋ）を設け、この蓋体（７ｋ）を掛止する揺動自在な掛止部材（８ｋ）をこの容器本体（２ｋ）の一端に設け、この掛止部材（８ｋ）を押圧して此の蓋体（７ｋ）が開放できるようにしたプッシュオン蓋付き容器（９ｋ）である。この蓋体（７ｋ）を支持する蓋体支持脚（１０ｋ）を該蓋体（７ｋ）に一体的に設けてある。この容器本体（２ｋ）の側面部にて該容器本体（２ｋ）の前後方向に該蓋体支持脚（１０ｋ）を回動自在に軸支してある。該容器本体（２ｋ）の前方向の回転をこの投入口（５ｋ）が開く開き方向とし該容器本体（２ｋ）の後方向の回転を該投入口（５ｋ）が閉じる閉じ方向として、または、該容器本体（２ｋ）の後方向の回転を該投入口（５ｋ）が開く開き方向（１９ｋ）とし該容器本体（２ｋ）の前方向の回転を該投入口（５ｋ）が閉じる閉じ方向（２０ｋ）としてある。該軸支している軸上で該蓋体支持脚（１０ｋ）および該蓋体（７ｋ）が平衡により静止する位置近傍から、該蓋体支持脚（１０ｋ）および該蓋体（７ｋ）の自重により該開き方向（１９ｋ）に該蓋体（７ｋ）が回転し該投入口（５ｋ）を該蓋体（７ｋ）が開く開き位置を配置してある。該平衡により静止する位置近傍にて該投入口（５ｋ）を該蓋体（７ｋ）が閉じる閉じ位置（１５ｋ）を配置してある。該蓋体（７ｋ）をこの掛止部材（８ｋ）で掛止することにより該閉じ位置（１５ｋ）で該蓋体（７ｋ）が静止する。該掛止部材（８ｋ）を手等で押圧することにより、掛止していた該蓋体（７ｋ）が開放する。該平衡により静止する位置近傍から、該蓋体支持脚（１０ｋ）および該蓋体（７ｋ）の自重による力が加わり該開き方向（１９ｋ）に該蓋体（７ｋ）が回転する。
【００１８】
つまり、次のように言い換えることもできる。プッシュオン蓋付き容器（９ｊ）は、プッシュオン蓋付き容器（９）において、図１〜図２にて、上面近傍に開口部（１）を有した容器本体（２）を設け、上記容器本体（２）の上縁（３）近傍の周囲に嵌合した取付枠（４）を設け、上記取付枠（４）に投入口（５）を設け、上記蓋体（７）を掛止する揺動自在な掛止部材（８）を上記取付枠（４）の一端に設けるのに代えて、図２５〜図２６にて、上面近傍に投入口（５ｊ）を有した容器本体（２ｊ）を設け、上記蓋体（７ｊ）を掛止する揺動自在な掛止部材（８ｊ）を上記容器本体（２ｊ）の一端に設けた、プッシュオン蓋付き容器（９ｊ）である。
【００１９】
同じように、次のように言い換えることもできる。プッシュオン蓋付き容器（９ｋ）は、プッシュオン蓋付き容器（９ｂ）において、図１１にて、上面近傍に開口部を有した容器本体（２ｂ）を設け、この容器本体（２ｂ）の上縁近傍の周囲に嵌合した取付枠（４ｂ）を設け、この取付枠（４ｂ）に投入口（５ｂ）を設け、この蓋体（７ｂ）を掛止する揺動自在な掛止部材（８ｂ）をこの取付枠（４ｂ）の一端に設けるのに代えて、図２７にて、上面近傍に投入口（５ｋ）を有した容器本体（２ｋ）を設け、この蓋体（７ｋ）を掛止する揺動自在な掛止部材（８ｋ）をこの容器本体（２ｋ）の一端に設けた、プッシュオン蓋付き容器（９ｋ）である。
【００２０】
次に、本発明の一実施形態である、プッシュオン蓋付き容器（９）に、緩衝用ばねを設けた容器について記す。図１、図７にて、コイルばね（１６）からなる緩衝用ばね（１８）を設ける。前記閉じ方向（２０）に付勢する該緩衝用ばね（１８）を設け、前記開き方向（１９）に前記蓋体（７）が回転する力を、該緩衝用ばね（１８）により緩衝する。同様に、プッシュオン蓋付き容器（９ｊ）に、緩衝用ばねを設けてもよい。プッシュオン蓋付き容器（９ｊ）に、コイルばねからなる緩衝用ばねを設けてもよい。
【００２１】
また、同じように、次のようにしてもよい。本発明の他の一実施形態である、プッシュオン蓋付き容器（９ｂ）に、緩衝用ばねを設けた容器について記す。図１１、図１３にて、コイルばね（１６ｂ）からなる緩衝用ばね（１８ｂ）を設ける。前記閉じ方向（２０ｂ）に付勢する該緩衝用ばね（１８ｂ）を設け、前記開き方向（１９ｂ）に前記蓋体（７ｂ）が回転する力を、該緩衝用ばね（１８ｂ）により緩衝する。同様に、プッシュオン蓋付き容器（９ｋ）に、緩衝用ばねを設けてもよい。プッシュオン蓋付き容器（９ｋ）に、コイルばねからなる緩衝用ばねを設けてもよい。
【００２２】
また、プッシュオン蓋付き容器（９）に、緩衝用ばねを設けた容器について、次のようにしてもよい。図１０は、プッシュオン蓋付き容器（９）の一部を描いた正面図である。図１０にて、板ばね（１７）からなる緩衝用ばね（１８）を設ける。前記閉じ方向（２０）に付勢する該緩衝用ばね（１８）を設け、前記開き方向（１９）に前記蓋体（７）が回転する力を、該緩衝用ばね（１８）により緩衝する。同様に、プッシュオン蓋付き容器（９ｊ）に、板ばねからなる緩衝用ばねを設けてもよい。
【００２３】
また、同じように、次のようにしてもよい。プッシュオン蓋付き容器（９ｂ）に、緩衝用ばねを設けた容器について、次のようにしてもよい。図１５は、プッシュオン蓋付き容器（９ｂ）の一部を描いた正面図である。図１５にて、板ばね（１７ｂ）からなる緩衝用ばね（１８ｂ）を設ける。前記閉じ方向（２０ｂ）に付勢する該緩衝用ばね（１８ｂ）を設け、前記開き方向（１９ｂ）に前記蓋体（７ｂ）が回転する力を、該緩衝用ばね（１８ｂ）により緩衝する。同様に、プッシュオン蓋付き容器（９ｋ）に、板ばねからなる緩衝用ばねを設けてもよい。
【００２４】
また、プッシュオン蓋付き容器（９）の一部を次のようにしてある。図１、図２にて、プッシュオン蓋付き容器（９）において、該コイルばね（２４）からなる該バネ（６）の巻回部（２６）を、該容器本体（２）の該側面部（１１）に設けた軸（３６）にて回動自在に設けてある。該バネ（６）の一端部（２７）を該容器本体（２）の該側面部（１１）に支持し設けてある。該バネ（６）の他端部（２８）に当接する当接部（２９）を該蓋体支持脚（１０）に一体的に設けてある。図２〜図４にて、該掛止部材（８）で掛止することにより該閉じ位置（１５）で静止していた該蓋体（７）が、該掛止部材（８）を手等で押圧することにより該閉じ位置（１５）から開放し、圧縮していた該バネ（６）が復元し、復元した該バネ（６）が該蓋体支持脚（１０）の該当接部（２９）を押圧することにより該開き方向（１９）に該蓋体（７）が回転する。プッシュオン蓋付き容器（９ｊ）においても、同じようにしてもよい。
【００２５】
次に、本発明の一実施形態である、プッシュオン蓋付き容器（９）に、緩衝用ばねを設けた容器の作用について説明する。図５〜図６は、プッシュオン蓋付き容器（９）の一部を描いた正面図である。プッシュオン蓋付き容器（９）に緩衝用ばねを設けた容器において、投入口の閉じ状態から開き状態への移行について説明する。図３にて、該バネ（６）により該開き方向（１９）に回転しようとする該閉じ位置（１５）の該蓋体（７）を該掛止部材（８）で掛止することにより該閉じ位置（１５）で該蓋体（７）が静止している。該バネ（６）は該蓋体支持脚（１０）に当接し、圧縮している。該掛止部材（８）を手等で押圧することにより、掛止していた該蓋体（７）が該閉じ位置（１５）から開放し、図４にて、圧縮していた該バネ（６）の復元する力により該開き方向（１９）に該蓋体（７）が回転し、該平衡により静止する位置（１３）近傍から、該蓋体支持脚（１０）および該蓋体（７）の自重による力が加わり該開き方向（１９）に該蓋体（７）が回転する。該開き方向（１９）に該蓋体（７）が引き続き回転し、図５にて、該バネ（６）は圧力を受けない無負荷の状態となる。図６にて、そのまま該開き方向（１９）に該蓋体（７）が回転し、該蓋体支持脚（１０）は該緩衝用ばね（１８）に当接し、該開き方向（１９）に該蓋体（７）が回転する力を、該緩衝用ばね（１８）のばね圧により緩衝し始める。図７にて、該回転する力を、該蓋体（７）の該開き位置（１４）まで、該緩衝用ばね（１８）のばね圧により緩衝する。該容器本体（２）で該蓋体（７）を衝止し、該開き位置（１４）で該蓋体（７）は停止する。該緩衝用ばね（１８）は圧縮している。プッシュオン蓋付き容器（９）に緩衝用ばねを設けた容器において、投入口の開き状態から閉じ状態への移行について説明する。図７にて、該開き位置（１４）の該蓋体（７）を該閉じ方向（２０）に手等で回転させる。該閉じ方向（２０）に該蓋体（７）を手等で引き続き回転させると、図５において、該緩衝用ばね（１８）は該蓋体支持脚（１０）から開放され、圧力を受けない無負荷の状態となる。図３にて、そのまま該閉じ方向（２０）に該蓋体（７）を手等で回転させ、該閉じ位置（１５）の該蓋体（７）を該掛止部材（８）で掛止することにより該閉じ位置（１５）で該蓋体（７）が静止する。よって、該緩衝用ばね（１８）を設けることにより、該平衡により静止する位置（１３）近傍から該開き位置（１４）までの間において、該開き方向（１９）に該蓋体（７）が回転する力を軽減し、回転する速度を低下することができる。また、軽減することにより、該開き位置（１４）まで該蓋体（７）が回転する場合について、該容器本体（２）で該蓋体（７）を衝止する場合等に発生する接触音を低減することができる。また、蓋体支持脚および蓋体が平衡により静止する位置（１３）から、該蓋体（７）が静止する該閉じ位置（１５）までの、該閉じ方向（２０）への傾きの度合いは僅かであるので、該閉じ位置（１５）で該蓋体（７）が静止する場合において、該バネ（６）を圧縮する力は大きくならなくて済む。つまり、該掛止部材（８）を手等で押圧する場合の押圧する力を軽減することができる。また、開蓋、閉蓋のために必要とする上面及び下面のスペースが小さくて済み、容器本体の容量において縦方向の制限を受けずに済む。
【００２６】
次に、本発明の他の一実施形態である、プッシュオン蓋付き容器（９ｂ）に、緩衝用ばねを設けた容器の作用について説明する。プッシュオン蓋付き容器（９ｂ）に緩衝用ばねを設けた容器において、投入口の閉じ状態から開き状態への移行について説明する。図１１にて、該閉じ位置（１５ｂ）の該蓋体（７ｂ）を該掛止部材（８ｂ）で掛止することにより該閉じ位置（１５ｂ）で該蓋体（７ｂ）が静止している。該掛止部材（８ｂ）を手等で押圧することにより、掛止していた該蓋体（７ｂ）が開放する。図１２にて、該開き方向（１９ｂ）に該蓋体（７ｂ）を手等で回転させ、該平衡により静止する位置（１３ｂ）近傍から、該蓋体支持脚（１０ｂ）および該蓋体（７ｂ）の自重による力が加わり該開き方向（１９ｂ）に該蓋体（７ｂ）が回転する。そのまま該開き方向（１９ｂ）に該蓋体（７ｂ）を手等で回転させると、該蓋体支持脚（１０ｂ）は該緩衝用ばね（１８ｂ）に当接し、該開き方向（１９ｂ）に該蓋体（７ｂ）が回転する力を、該緩衝用ばね（１８ｂ）のばね圧により緩衝し始める。図１３にて、該回転する力を、該蓋体（７ｂ）の該開き位置（１４ｂ）まで、該緩衝用ばね（１８ｂ）のばね圧により緩衝する。該容器本体（２ｂ）で該蓋体（７ｂ）を衝止し、該開き位置（１４ｂ）で該蓋体（７ｂ）は停止する。該緩衝用ばね（１８ｂ）は圧縮している。プッシュオン蓋付き容器（９ｂ）に緩衝用ばねを設けた容器において、投入口の開き状態から閉じ状態への移行について説明する。図１３にて、該開き位置（１４ｂ）の該蓋体（７ｂ）を該閉じ方向（２０ｂ）に手等で回転させ、図１１にて、該閉じ位置（１５ｂ）の該蓋体（７ｂ）を該掛止部材（８ｂ）で掛止することにより該閉じ位置（１５ｂ）で該蓋体（７ｂ）が静止する。つまり、該緩衝用ばね（１８ｂ）を設けることにより、該平衡により静止する位置（１３ｂ）近傍から該開き位置（１４ｂ）までの間において、該開き方向（１９ｂ）に該蓋体（７ｂ）が回転する力を軽減し、回転する速度を低下することができる。また、軽減することにより、該開き位置（１４ｂ）まで該蓋体（７ｂ）が回転する場合について、該容器本体（２ｂ）で該蓋体（７ｂ）を衝止する場合等に発生する接触音を低減することができる。また、開蓋、閉蓋のために必要とする上面及び下面のスペースが小さくて済み、容器本体の容量において縦方向の制限を受けずに済む。
【００２７】
前に記載した、プッシュオン蓋付き容器（９）に緩衝用ばねを設けた容器において、一部を次のようにしてもよい。本発明の他の一実施形態である、プッシュオン蓋付き容器（９ａ）について記す。プッシュオン蓋付き容器（９ａ）は、プッシュオン蓋付き容器（９）に緩衝用ばねを設けた容器であり、かつ、プッシュオン蓋付き容器（９ａ）の閉じ位置は、プッシュオン蓋付き容器（９）に緩衝用ばねを設けた容器の閉じ位置より、蓋体が閉じ方向に傾いている。図８は、プッシュオン蓋付き容器（９ａ）の一部を描いた正面図である。プッシュオン蓋付き容器（９ａ）は、図８にて、該平衡により静止する位置近傍から該閉じ方向（２０ａ）に該蓋体（７ａ）を回転させ該投入口（５ａ）を該蓋体（７ａ）が閉じる閉じ位置（１５ａ）を配置してある。前に記載した、プッシュオン蓋付き容器（９ｊ）に緩衝用ばねを設けた容器においても、同じようにしてもよい。また、前に記載した、プッシュオン蓋付き容器（９）（９ｊ）においても、同じようにしてもよい。
【００２８】
また、同じように、次のようにしてもよい。前に記載した、プッシュオン蓋付き容器（９ｂ）に緩衝用ばねを設けた容器において、一部を次のようにしてもよい。本発明の他の一実施形態である、プッシュオン蓋付き容器（９ｃ）について記す。プッシュオン蓋付き容器（９ｃ）は、プッシュオン蓋付き容器（９ｂ）に緩衝用ばねを設けた容器であり、かつ、プッシュオン蓋付き容器（９ｃ）の閉じ位置は、プッシュオン蓋付き容器（９ｂ）に緩衝用ばねを設けた容器の閉じ位置より、蓋体が閉じ方向に傾いている。図１４は、プッシュオン蓋付き容器（９ｃ）の一部を描いた正面図である。プッシュオン蓋付き容器（９ｃ）は、図１４にて、該平衡により静止する位置近傍から該自重により該閉じ方向（２０ｃ）に該蓋体（７ｃ）が回転し該投入口（５ｃ）を該蓋体（７ｃ）が閉じる閉じ位置（１５ｃ）を配置してある。前に記載した、プッシュオン蓋付き容器（９ｋ）に緩衝用ばねを設けた容器においても、同じようにしてもよい。また、前に記載した、プッシュオン蓋付き容器（９ｂ）（９ｋ）においても、同じようにしてもよい。
【００２９】
前に記載した、プッシュオン蓋付き容器（９ｂ）に緩衝用ばねを設けた容器において、一部を次のようにしてもよい。本発明の他の一実施形態である、プッシュオン蓋付き容器（９ｄ）について記す。プッシュオン蓋付き容器（９ｄ）は、プッシュオン蓋付き容器（９ｂ）に緩衝用ばねを設けた容器であり、かつ、プッシュオン蓋付き容器（９ｄ）の閉じ位置は、プッシュオン蓋付き容器（９ｂ）に緩衝用ばねを設けた容器の、該平衡により静止する位置より、蓋体が開き方向に僅かに傾いている。プッシュオン蓋付き容器（９ｄ）は、図１６にて、該軸支している軸（１２ｄ）上で該蓋体支持脚（１０ｄ）および該蓋体（７ｄ）が平衡により静止する位置近傍にて該投入口（５ｄ）を該蓋体（７ｄ）が閉じる閉じ位置（１５ｄ）を配置してある。プッシュオン蓋付き容器（９ｋ）に緩衝用ばねを設けた容器においても、同じようにしてもよい。また、プッシュオン蓋付き容器（９ｂ）（９ｋ）においても、同じようにしてもよい。
【００３０】
次に、本発明の他の一実施形態である、プッシュオン蓋付き容器（９ｄ）の作用について説明する。プッシュオン蓋付き容器（９ｄ）において、投入口の閉じ状態から開き状態への移行について説明する。図１６にて、該蓋体支持脚（１０ｄ）および該蓋体（７ｄ）の自重による力により該開き方向（１９ｄ）に回転しようとする該閉じ位置（１５ｄ）の該蓋体（７ｄ）を該掛止部材（８ｄ）で掛止することにより該閉じ位置（１５ｄ）で該蓋体（７ｄ）が静止している。前記プッシュオン蓋付き容器（９ｃ）の作用と同様のため、特に図示しないが、該掛止部材（８ｄ）を手等で押圧することにより、掛止していた該蓋体（７ｄ）が該閉じ位置（１５ｄ）から開放し、該蓋体支持脚（１０ｄ）および該蓋体（７ｄ）の自重による力により該開き方向（１９ｄ）に該蓋体（７ｄ）が回転する。そのまま該開き方向（１９ｄ）に該蓋体（７ｄ）が回転し、該蓋体支持脚（１０ｄ）は該緩衝用ばね（１８ｄ）に当接し、該開き方向（１９ｄ）に該蓋体（７ｄ）が回転する力を、該緩衝用ばね（１８ｄ）のばね圧により緩衝し始める。該回転する力を、該蓋体（７ｄ）の該開き位置まで、該緩衝用ばね（１８ｄ）のばね圧により緩衝する。該容器本体（２ｄ）で該蓋体（７ｄ）を衝止し、該開き位置で該蓋体（７ｄ）は停止する。該緩衝用ばね（１８ｄ）は圧縮している。プッシュオン蓋付き容器（９ｄ）において、投入口の開き状態から閉じ状態への移行について説明する。該開き位置の該蓋体（７ｄ）を該閉じ方向（２０ｄ）に手等で回転させると、該緩衝用ばね（１８ｄ）は該蓋体支持脚（１０ｄ）から開放され、圧力を受けない無負荷の状態となる。そのまま該閉じ方向（２０ｄ）に該蓋体（７ｄ）を手等で回転させ、図１６にて、該閉じ位置（１５ｄ）の該蓋体（７ｄ）を該掛止部材（８ｄ）で掛止することにより該閉じ位置（１５ｄ）で該蓋体（７ｄ）が静止する。つまり、該緩衝用ばね（１８ｄ）を設けることにより、該平衡により静止する位置近傍から該開き位置までの間において、該開き方向（１９ｄ）に該蓋体（７ｄ）が回転する力を軽減し、回転する速度を低下することができる。また、軽減することにより、該開き位置まで該蓋体（７ｄ）が回転する場合について、該容器本体（２ｄ）で該蓋体（７ｄ）を衝止する場合に発生する接触音を低減することができる。また、開蓋、閉蓋のために必要とする上面及び下面のスペースが小さくて済み、容器本体の容量において縦方向の制限を受けずに済む。
【００３１】
また、プッシュオン蓋付き容器（９）の一部を次のようにしてある。図２１は、プッシュオン蓋付き容器（９）の部分拡大図である。プッシュオン蓋付き容器（９）おいて、図２１にて、押圧部（４９）を有した該掛止部材（８）に一体的に設けた係止片（５０）と、該蓋体（７）に一体的に設けた係止片（４８）とを、係合するよう配置する。該掛止部材（８）は弾性体からなる。該弾性体は、熱可塑性エラストマーや合成樹脂、ゴム等から構成されるが他の材料も選択可能である。図３、図２１にて、該バネ（６）により該開き方向（１９）に回転しようとする該閉じ位置（１５）の該蓋体（７）の該係止片（４８）を、該掛止部材（８）の該係止片（５０）で掛止することにより該閉じ位置（１５）で該蓋体（７）が静止する。該掛止部材（８）の該押圧部（４９）を手等で押圧することにより、掛止していた該蓋体（７）が該閉じ位置（１５）から開放し、図４にて、該バネ（６）により該開き方向（１９）に該蓋体（７）が回転し、該平衡により静止する位置（１３）近傍から、該蓋体支持脚（１０）および該蓋体（７）の自重による力が加わり該開き方向（１９）に該蓋体（７）が回転する。プッシュオン蓋付き容器（９ｂ）（９ｊ）（９ｋ）においても、同じようにしてもよい。
【００３２】
また、特に図示しないが、プッシュオン蓋付き容器（９）の一部を次のようにしてもよい。該係止片（５０）を凹部として該係止片（４８）を凸部とし、または、該係止片（５０）を凸部として該係止片（４８）を凹部としてもよい。プッシュオン蓋付き容器（９ｂ）（９ｊ）（９ｋ）においても、同じようにしてもよい。
【００３３】
また、特に図示しないが、プッシュオン蓋付き容器（９）の一部を次のようにしてもよい。該係止片（５０）を断面Ｌ字状とし、該係止片（４８）を断面Ｌ字状としてもよい。プッシュオン蓋付き容器（９ｂ）（９ｊ）（９ｋ）においても、同じようにしてもよい。
【００３４】
また、プッシュオン蓋付き容器（９）において、該掛止部材（８）を周知の事実である構造、形態を有する、周知の事実である掛止部材としてもよい。プッシュオン蓋付き容器（９ｂ）（９ｊ）（９ｋ）においても、同じようにしてもよい。
【００３５】
また、プッシュオン蓋付き容器（９）の一部を次のようにしてある。図３にて、プッシュオン蓋付き容器（９）において、コイルばね（２４）からなる該バネ（６）を設ける。プッシュオン蓋付き容器（９ｊ）においても、同じようにしてもよい。
【００３６】
また、プッシュオン蓋付き容器（９）の一部を次のようにしてもよい。図１７は、プッシュオン蓋付き容器（９）の一部を描いた正面図である。図１７にて、プッシュオン蓋付き容器（９）において、板ばね（２５）からなる該バネ（６）を設けてもよい。プッシュオン蓋付き容器（９ｊ）においても、同じようにしてもよい。
【００３７】
また、プッシュオン蓋付き容器（９）の一部を次のようにしてもよい。プッシュオン蓋付き容器（９ｈ）は、プッシュオン蓋付き容器（９）のバネ（６）の取付等について変更したものである。図１９は、本発明の他の一実施形態である、プッシュオン蓋付き容器（９ｈ）の部分拡大図である。プッシュオン蓋付き容器（９ｈ）おいて、図１９にて、コイルばね（２４ｈ）からなるバネ（６ｈ）の一端部（３８ｈ）を取付枠（４ｈ）に支持し設ける。該バネ（６ｈ）の他端部（３９ｈ）に当接する当接部（４０ｈ）を蓋体（７ｈ）に一体的に設ける。図３〜図４と作用が同様のため、特に図示しないが、掛止部材（８ｈ）で掛止することにより該閉じ位置で静止していた該蓋体（７ｈ）が、該掛止部材（８ｈ）を手等で押圧することにより該閉じ位置から開放し、圧縮していた該バネ（６ｈ）が復元し、復元した該バネ（６ｈ）が該蓋体（７ｈ）の該当接部（４０ｈ）を押圧することにより該開き方向に該蓋体（７ｈ）が回転する。つまり、次のように記すこともできる。該掛止部材を手等で押圧することにより、掛止していた該蓋体が該閉じ位置から開放し、該バネにより、該蓋体支持脚または該蓋体を、押圧することにより該開き方向に該蓋体が回転する。プッシュオン蓋付き容器（９ｊ）においても、同じようにしてもよい。
【００３８】
また、プッシュオン蓋付き容器（９）の一部を次のようにしてもよい。図１７にて、プッシュオン蓋付き容器（９）において、該板ばね（２５）からなる該バネ（６）の一端部（２７ａ）を該容器本体（２）の該側面部（１１）に支持し設ける。該バネ（６）の他端部（２８ａ）に当接する当接部を該蓋体支持脚（１０）に一体的に設ける。該掛止部材（８）で掛止することにより該閉じ位置（１５）で静止していた該蓋体（７）が、該掛止部材（８）を手等で押圧することにより該閉じ位置（１５）から開放し、圧縮していた該バネ（６）が復元し、復元した該バネ（６）が該蓋体支持脚（１０）の該当接部を押圧することにより該開き方向（１９）に該蓋体（７）が回転する。プッシュオン蓋付き容器（９ｊ）においても、同じようにしてもよい。
【００３９】
また、プッシュオン蓋付き容器（９）の一部を次のようにしてある。プッシュオン蓋付き容器（９）において、図４にて、該バネ（６）について、該平衡により静止する位置（１３）近傍まで該開き方向に付勢するように配置してある。該掛止部材（８）を手等で押圧することにより、図２〜図４にて、掛止していた該蓋体（７）が該閉じ位置（１５）から開放し、圧縮していた該バネ（６）が復元し、復元した該バネ（６）が該蓋体支持脚（１０）の該当接部（２９）を押圧することにより、該平衡により静止する位置（１３）近傍まで該開き方向（１９）に該蓋体（７）が回転し、該平衡により静止する位置（１３）近傍から、該蓋体支持脚（１０）および該蓋体（７）の自重による力が加わり該開き方向（１９）に該蓋体（７）が回転する。つまり、該平衡により静止する位置（１３）近傍から該開き位置（１４）までの間において、該開き方向（１９）に該蓋体（７）が回転する場合の該バネ（６）による力の影響を軽減し、回転する速度を低下することができる。また、軽減することにより、該開き位置（１４）まで該蓋体（７）が回転する場合について、該容器本体（２）で該蓋体（７）を衝止する場合に発生する接触音を低減することができる。あわせて、該閉じ位置（１５）で該蓋体（７）が静止する場合において、該バネを圧縮する力は大きくならなくて済む。つまり、該掛止部材（８）を手等で押圧する場合の押圧する力を軽減することができる。プッシュオン蓋付き容器（９ｊ）においても、同じようにしてもよい。
【００４０】
また、プッシュオン蓋付き容器（９）の一部を次のようにしてある。図１〜図２にて、プッシュオン蓋付き容器（９）において、該バネ（６）の該一端部（２７）を該容器本体（２）の該側面部（１１）に支持し設けるのにおいて、該側面部（１１）に設けた略筒状の孔（５１）に該一端部（２７）を嵌挿し配置してある。プッシュオン蓋付き容器（９ｊ）においても、同じようにしてもよい。
【００４１】
また、プッシュオン蓋付き容器（９）に、緩衝用ばねを設けた容器について、次のようにしてもよい。図１、図７にて、前記開き方向（１９）に前記蓋体（７）が回転する力を、該蓋体（７）の前記開き位置（１４）近傍まで、該緩衝用ばね（１８）により緩衝する。プッシュオン蓋付き容器（９ｂ）（９ｊ）（９ｋ）に、緩衝用ばねを設けた容器においても、同じようにしてもよい。
【００４２】
また、プッシュオン蓋付き容器（９）に、コイルばねからなる緩衝用ばねを設けた容器の一部を次のようにしてある。図１、図２にて、プッシュオン蓋付き容器（９）において、該コイルばね（１６）からなる該緩衝用ばね（１８）の巻回部（３０）を、該蓋体支持脚（１０）を軸支した該軸（１２）に回動自在に設けてある。該緩衝用ばね（１８）の一端部（３１）を該容器本体（２）の該側面部（１１）に支持し設けてある。該緩衝用ばね（１８）の他端部（３２）に当接する当接部（３３）を該蓋体支持脚（１０）に一体的に設けてある。プッシュオン蓋付き容器（９ｂ）（９ｊ）（９ｋ）に、コイルばねからなる緩衝用ばねを設けた容器においても、同じようにしてもよい。
【００４３】
また、プッシュオン蓋付き容器（９）に、板ばねからなる緩衝用ばねを設けた容器の一部を次のようにしてもよい。特に図示しないが、該板ばね（１７）からなる該緩衝用ばね（１８）の一端部を該容器本体（２）の該側面部（１１）に支持し設ける。該緩衝用ばね（１８）の他端部に当接する当接部（３３）を該蓋体支持脚（１０）に一体的に設ける。プッシュオン蓋付き容器（９ｂ）（９ｊ）（９ｋ）に、板ばねからなる緩衝用ばねを設けた容器においても、同じようにしてもよい。
【００４４】
また、プッシュオン蓋付き容器（９）に、コイルばねからなる緩衝用ばねを設けた容器の一部を次のようにしてもよい。プッシュオン蓋付き容器（９）にコイルばねからなる緩衝用ばねを設けた容器において、特に図示しないが、該コイルばね（１６）からなる該緩衝用ばね（１８）を該平衡により静止する位置（１３）近傍から該閉じ方向（２０）に付勢するように設けてもよい。該開き方向（１９）に該蓋体（７）が回転する力を、該蓋体支持脚（１０）の該当接部が該緩衝用ばね（１８）を押圧することにより該緩衝用ばね（１８）が圧縮し、該平衡により静止する位置（１３）近傍から該蓋体（７）の該開き位置（１４）まで、該緩衝用ばね（１８）により緩衝する。プッシュオン蓋付き容器（９ｂ）（９ｊ）（９ｋ）に、コイルばねからなる緩衝用ばねを設けた容器においても、同じようにしてもよい。
【００４５】
また、プッシュオン蓋付き容器（９）に、板ばねからなる緩衝用ばねを設けた容器の一部を同様に次のようにしてもよい。プッシュオン蓋付き容器（９）に板ばねからなる緩衝用ばねを設けた容器において、特に図示しないが、該板ばね（１７）からなる該緩衝用ばね（１８）を該平衡により静止する位置近傍から該閉じ方向（２０）に付勢するように設けてもよい。該開き方向（１９）に該蓋体（７）が回転する力を、該蓋体支持脚（１０）の該当接部が該緩衝用ばね（１８）を押圧することにより該緩衝用ばね（１８）が圧縮し、該平衡により静止する位置近傍から該蓋体（７）の該開き位置まで、該緩衝用ばね（１８）により緩衝する。プッシュオン蓋付き容器（９ｂ）（９ｊ）（９ｋ）に、板ばねからなる緩衝用ばねを設けた容器においても、同じようにしてもよい。
【００４６】
また、プッシュオン蓋付き容器（９）に、コイルばねからなる緩衝用ばねを設けた容器の一部を次のようにしてある。図１〜図２にて、プッシュオン蓋付き容器（９）において、該緩衝用ばね（１８）の該一端部（３１）を該容器本体（２）の該側面部（１１）に支持し設けるのにおいて、該側面部（１１）に設けた略筒状の孔（５２）に該一端部（３１）を嵌挿し配置してある。プッシュオン蓋付き容器（９ｂ）（９ｊ）（９ｋ）に、コイルばねからなる緩衝用ばねを設けた容器においても、同じようにしてもよい。
【００４７】
また、プッシュオン蓋付き容器（９）に、緩衝用ばねを設けた容器の一部を次のようにしてもよい。特に図示しないが、プッシュオン蓋付き容器（９）に、緩衝用ばねを設けた容器において、複数の該緩衝用ばねを設けてもよい。プッシュオン蓋付き容器（９ｂ）（９ｊ）（９ｋ）に、緩衝用ばねを設けた容器においても、同じようにしてもよい。
【００４８】
また、プッシュオン蓋付き容器（９）に、コイルばねからなる緩衝用ばねを設けた容器の一部を次のようにしてもよい。特に図示しないが、プッシュオン蓋付き容器（９）に、コイルばねからなる緩衝用ばねを設けた容器において、複数のコイルばねからなる該緩衝用ばねを設けてもよい。プッシュオン蓋付き容器（９ｂ）（９ｊ）（９ｋ）に、コイルばねからなる緩衝用ばねを設けた容器においても、同じようにしてもよい。
【００４９】
また、プッシュオン蓋付き容器（９）の一部を次のようにしてもよい。特に図示しないが、該当接部（２９）と該当接部（３３）を同一の当接部として設けてもよい。プッシュオン蓋付き容器（９ｊ）においても、同じようにしてもよい。
【００５０】
また、次のようにしてもよい。特に図示しないが、該バネ（６）（６ｊ）、該緩衝用ばね（１８）（１８ｂ）（１８ｄ）を、該側面部（１１）（１１ｂ）（１１ｉ）（１１ｊ）の、左右両側または片側のみに設けてもよい。
【００５１】
また、次のようにしてもよい。該バネ（６）（６ｈ）（６ｊ）、該緩衝用ばね（１８）（１８ｂ）（１８ｄ）において、圧縮型コイルばね、引っ張り型コイルばね、ねじりコイルばね、板ばね、弾性体等を使用し、材質として、ポリエチレン等の合成樹脂、金属、ゴム等があげられるが他の材料を選択してもよい。
【００５２】
また、特に図示しないが、次のようにしてもよい。プッシュオン蓋付き容器（９）において、前記閉じ方向（２０）に付勢する緩衝用ばね（１８）を設け、前記開き方向（１９）に前記蓋体（７）が回転する力を、該蓋体（７）の前記開き位置（１４）まで、該緩衝用ばね（１８）により緩衝することに代えて、前記閉じ方向（２０）に付勢するダンパを設け、前記開き方向（１９）に前記蓋体（７）が回転する力を、該蓋体（７）の前記開き位置（１４）まで、該ダンパにより緩衝すること、としてもよい。プッシュオン蓋付き容器（９ｂ）（９ｊ）（９ｋ）に、緩衝用ばねを設けた容器においても同じようにしてもよい。なお、ダンパは、オイルダンパ、エアダンパのどちらでもよい。
【００５３】
また、プッシュオン蓋付き容器（９）を次のようにしてもよい。特に図示しないが、蓋体（７）の一端または蓋体支持脚（１０）の一端に当接するストッパーを容器本体（２）の側面部（１１）に一体的に設ける。投入口（５）を開くため開き方向（１９）に回転している該蓋体（７）の一端または該蓋体支持脚（１０）の一端が該ストッパーに衝止し該蓋体（７）が停止する。プッシュオン蓋付き容器（９）にて、該容器本体（２）で該蓋体（７）を衝止する場合において、該開き方向（１９）に該蓋体（７）が回転する力を、該ストッパーにより低下することができる。プッシュオン蓋付き容器（９ｂ）（９ｊ）（９ｋ）においても同じようにしてもよい。また、プッシュオン蓋付き容器（９）（９ｂ）（９ｊ）（９ｋ）に、緩衝用ばねを設けた容器を同じようにしてもよい。
【００５４】
また、プッシュオン蓋付き容器（９）を次のようにしてもよい。特に図示しないが、該開き位置（１４）近傍にある該蓋体（７）に当接するように該ストッパーを設けてもよい。プッシュオン蓋付き容器（９ｂ）（９ｊ）（９ｋ）においても同じようにしてもよい。
【００５５】
また、次のようにしてもよい。本発明の他の一実施形態である、プッシュオン蓋付き容器（９ｉ）について記す。プッシュオン蓋付き容器（９ｉ）は、プッシュオン蓋付き容器（９）に、可動式ストッパーを設けた容器である。図２０は、プッシュオン蓋付き容器（９ｉ）の一部を描いた正面図である。図２０にて、レール状の案内部（４１ｉ）と、該案内部（４１ｉ）に嵌挿し該案内部（４１ｉ）上を可動する可動部（４２ｉ）とからなるストッパー（４３ｉ）を、容器本体（２ｉ）の側面部（１１ｉ）に一体的に設けてある。該可動部（４２ｉ）に当接する当接部（４４ｉ）を蓋体支持脚（１０ｉ）に一体的に設けてある。該案内部（４１ｉ）に沿って可動する該可動部（４２ｉ）を矢印（Ｘ１）（Ｘ２）の方向へ任意の位置（４５ｉ）に可動させることにより、投入口（５ｉ）を開くため開き方向（１９ｉ）に回転している該蓋体支持脚（１０ｉ）の該当接部（４４ｉ）が該可動部（４２ｉ）に衝止し、任意の位置（４６ｉ）に蓋体（７ｉ）が停止する。つまり、該投入口（５ｉ）の開いている面積を一定以上必要としない場合に、該可動部（４２ｉ）により該任意の位置（４６ｉ）に該蓋体（７ｉ）を停止させることで、必要以上に該蓋体（７ｉ）を開閉させなくて済み、該蓋体（７ｉ）を開閉するのに要する時間および手間を低減することができる。プッシュオン蓋付き容器（９ｂ）（９ｊ）（９ｋ）においても同じようにしてもよい。
【００５６】
また、プッシュオン蓋付き容器（９ｉ）の一部を次のようにしてもよい。特に図示しないが、該可動部（４２ｉ）に当接する当接部を該蓋体（７ｉ）に一体的に設けてもよい。該投入口（５ｉ）を開くため該開き方向（１９ｉ）に回転している該蓋体（７ｉ）の該当接部が該可動部（４２ｉ）に衝止し、該任意の位置（４６ｉ）に該蓋体（７ｉ）が停止する。つまり、該投入口（５ｉ）の開いている面積を一定以上必要としない場合に、該可動部（４２ｉ）により該任意の位置（４６ｉ）に該蓋体（７ｉ）を停止させることで、必要以上に該蓋体（７ｉ）を開閉させなくて済み、該蓋体（７ｉ）を開閉するのに要する時間および手間を低減することができる。プッシュオン蓋付き容器（９ｂ）（９ｊ）（９ｋ）に、可動式ストッパーを設けた容器においても同じようにしてもよい。
【００５７】
また、プッシュオン蓋付き容器（９ｉ）の一部を次のようにしてもよい。該当接部（４４ｉ）が該可動部（４２ｉ）に衝止することを前提条件として、該任意の位置（４５ｉ）の可動範囲を大きくするため、該蓋体支持脚（１０ｉ）に一体的に設けてある該当接部（４４ｉ）の面積を該蓋体支持脚（１０ｉ）の長手方向に大きく設けてもよい。プッシュオン蓋付き容器（９ｂ）（９ｊ）（９ｋ）に、可動式ストッパーを設けた容器においても同じようにしてもよい。
【００５８】
また、プッシュオン蓋付き容器（９ｊ）の一部を次のようにしてもよい。図２８は、本発明の他の一実施形態である、プッシュオン蓋付き容器（９ｎ）の斜視図である。プッシュオン蓋付き容器（９ｊ）において、図２８にて、上記容器本体の上縁近傍の周囲に嵌合した取付枠（４ｎ）を設けた、プッシュオン蓋付き容器（９ｎ）としてもよい。また、上記容器本体の上縁近傍の周囲の一部に嵌合した取付枠（４ｎ）を設けた、プッシュオン蓋付き容器（９ｎ）としてもよい。つまり、次のように言い換えることもできる。プッシュオン蓋付き容器において、上面近傍に投入口（５ｊ）を有した容器本体（２ｊ）を設け、開き方向に付勢するように配置したバネ（６ｊ）を介して上記投入口（５ｊ）を開閉する蓋体（７ｊ）を設け、上記蓋体（７ｊ）を掛止する揺動自在な掛止部材（８ｊ）を上記容器本体（２ｊ）の一端に設け、上記掛止部材（８ｊ）を押圧して上記蓋体（７ｊ）が開放できるようにしたプッシュオン蓋付き容器（９ｊ）に代えて、上面近傍に開口部を有した容器本体（２ｎ）を設け、上記容器本体（２ｎ）の上縁近傍の周囲に嵌合した取付枠（４ｎ）を設け、上記取付枠（４ｎ）に投入口（５ｎ）を設け、開き方向に付勢するように配置したバネを介して上記投入口（５ｎ）を開閉する蓋体（７ｎ）を設け、上記蓋体（７ｎ）を掛止する揺動自在な掛止部材（８ｎ）を上記容器本体（２ｎ）の一端に設け、上記掛止部材（８ｎ）を押圧して上記蓋体（７ｎ）が開放できるようにしたプッシュオン蓋付き容器（９ｎ）としてもよい。
【００５９】
また、プッシュオン蓋付き容器（９ｋ）の一部を次のようにしてもよい。プッシュオン蓋付き容器（９ｋ）において、特に図示しないが、上記容器本体（２ｋ）の上縁近傍の周囲に嵌合した取付枠を設けてもよい。つまり、次のように言い換えることもできる。プッシュオン蓋付き容器において、上面近傍に投入口（５ｋ）を有した容器本体（２ｋ）を設け、この投入口（５ｋ）を開閉する蓋体（７ｋ）を設け、この蓋体（７ｋ）を掛止する揺動自在な掛止部材（８ｋ）をこの容器本体（２ｋ）の一端に設け、この掛止部材（８ｋ）を押圧して此の蓋体（７ｋ）が開放できるようにしたプッシュオン蓋付き容器（９ｋ）に代えて、上面近傍に開口部を有した容器本体を設け、この容器本体の上縁近傍の周囲に嵌合した取付枠を設け、この取付枠に投入口を設け、この投入口を開閉する蓋体を設け、この蓋体を掛止する揺動自在な掛止部材をこの容器本体の一端に設け、この掛止部材を押圧して此の蓋体が開放できるようにしたプッシュオン蓋付き容器としてもよい。
【００６０】
また、プッシュオン蓋付き容器（９）の一部を次のようにしてある。図１にて、断面円弧状の該蓋体（７）を設けてある。プッシュオン蓋付き容器（９ｂ）（９ｊ）（９ｋ）においても同じようにしてもよい。
【００６１】
また、プッシュオン蓋付き容器（９）の一部を次のようにしてもよい。特に図示しないが、該蓋体（７）を蛇腹状にして折り畳みが可能なように設けてもよい。プッシュオン蓋付き容器（９ｂ）（９ｊ）（９ｋ）においても同じようにしてもよい。
【００６２】
また、プッシュオン蓋付き容器（９）の一部を次のようにしてもよい。特に図示しないが、上記蓋体（７）を支持する蓋体支持脚（１０）を該蓋体（７）に一体的に設けるのに代えて、該蓋体（７）を案内するレールを前記容器本体（２）上縁に設けてもよい。プッシュオン蓋付き容器（９ｂ）（９ｊ）（９ｋ）においても同じようにしてもよい。
【００６３】
また、特に図示しないが、プッシュオン蓋付き容器（９）の一部を次のようにしてもよい。該蓋体（７）を手等で閉じる場合における取っ手を、該蓋体（７）に設けてもよい。該取っ手は凹凸状でもよい。プッシュオン蓋付き容器（９ｂ）（９ｊ）（９ｋ）においても同じようにしてもよい。
【００６４】
また、特に図示しないが、プッシュオン蓋付き容器（９）の一部を次のようにしてもよい。プッシュオン蓋付き容器（９）において、蓋体支持脚（１０）を該蓋体（７）に一体的に設けるのに代えて、蓋体支持脚（１０）を該蓋体（７）に回動自在に設け、または、該蓋体（７）を該蓋体支持脚（１０）に回動自在に設けてもよい。プッシュオン蓋付き容器（９ｂ）（９ｊ）（９ｋ）においても同じようにしてもよい。
【００６５】
また、特に図示しないが、プッシュオン蓋付き容器（９）の一部を次のようにしてもよい。蓋体支持脚（１０）を該蓋体（７）に一体的に設けるのにおいて、該蓋体（７）の、左右両側または片側のみに、該蓋体支持脚（１０）を設けてもよい。プッシュオン蓋付き容器（９ｂ）（９ｊ）（９ｋ）においても同じようにしてもよい。
【００６６】
また、プッシュオン蓋付き容器（９）の一部を次のようにしてもよい。プッシュオン蓋付き容器（９）について、蓋体支持脚（１０）を該蓋体（７）に一体的に設けるのにおいて、図２８にて、該軸（１２ｎ）近傍を頂点として該軸（１２ｎ）近傍から該蓋体（７ｎ）の端部へ末広がりにした扇状の蓋体支持脚（１０ｎ）を設けた、プッシュオン蓋付き容器（９ｎ）としてもよい。強度を増すことができる。プッシュオン蓋付き容器（９ｂ）（９ｊ）（９ｋ）においても同じようにしてもよい。
【００６７】
また、特に図示しないが、プッシュオン蓋付き容器（９）の一部を次のようにしてもよい。該容器本体（２）の該側面部（１１）にて該蓋体支持脚（１０）を回動自在に軸支するのにおいて、該側面部（１１）の、内側または外側にて、該蓋体支持脚（１０）を回動自在に軸支してもよい。プッシュオン蓋付き容器（９ｂ）（９ｊ）（９ｋ）においても同じようにしてもよい。
【００６８】
また、特に図示しないが、次のようにしてもよい。プッシュオン蓋付き容器（９）において、前記蓋体（７）を掛止する揺動自在な掛止部材（８）を前記取付枠（４）の一端に設けるのに代えて、公知の事実である、マグネット式またはローラー式、のプッシュ・ラッチを設けてもよい。プッシュオン蓋付き容器（９ｂ）（９ｊ）（９ｋ）においても同じようにしてもよい。
【００６９】
また、特に図示しないが、次のようにしてもよい。該バネ（６）（６ｊ）、該緩衝用ばね（１８）（１８ｂ）（１８ｄ）の防塵用に、該容器本体（２）（２ｂ）（２ｉ）（２ｊ）（２ｋ）の該側面（１１）（１１ｂ）（１１ｉ）（１１ｊ）にカバーを設けてもよい。
【００７０】
プッシュオン蓋付き容器（９）（９ｂ）（９ｊ）（９ｋ）において、ゴミ等の収納を行うためのビニル袋を、該容器本体（２）（２ｂ）（２ｊ）（２ｋ）の内部に配置する場合、該開き位置（１４）（１４ｂ）まで該蓋体（７）（７ｂ）（７ｊ）（７ｋ）を回転させ、ビニル袋を配置する。また、その際、プッシュオン蓋付き容器（９）（９ｂ）においては、該容器本体（２）（２ｂ）の上縁近傍の周囲に嵌合した該取付枠（４）（４ｂ）を取り外し、ビニル袋を配置する。
【００７１】
また、次のようにしてもよい。プッシュオン蓋付き容器（９）（９ｂ）（９ｊ）（９ｋ）において、該容器本体（２）（２ｂ）（２ｊ）（２ｋ）の下部の容積を該容器本体（２）（２ｂ）（２ｊ）（２ｋ）の上部の容積より小さく設けてもよい。該容器本体（２）（２ｂ）（２ｊ）（２ｋ）の内部に配置したビニル袋を取り出す場合に取り出しが容易になる。
【００７２】
また、プッシュオン蓋付き容器（９）において、一部を次のようにしてある。プッシュオン蓋付き容器（９）において、図１〜図２にて、該容器本体（２）の該側面部（１１）にて該容器本体（２）の前後方向（矢印Ｆ）（矢印Ｂ）に該蓋体支持脚（１０）を回動自在に軸支するのにおいて、該側面部（１１）に孔（３４）を設けてある。該蓋体支持脚（１０）に孔（３７）を設けてある。ビスを使用した軸（１２）を該孔（３７）（３４）に通し、該軸（１２）の頭部を該側面部（１１）に固定し、該軸（１２）と締結するナット（３５）で止めてある。また、該ナット（３５）と締結せずに該軸（１２）の先端を潰して脱落しないようにしてもよい。プッシュオン蓋付き容器（９ｂ）（９ｊ）（９ｋ）においても、同じようにしてもよい。
【００７３】
また、プッシュオン蓋付き容器（９）の一部を次のようにしてある。図２２は、本発明の一実施形態である、プッシュオン蓋付き容器（９）の説明図である。プッシュオン蓋付き容器（９）において、図２、図２２にて、正方形（ａ）（ｂ）（ｃ）（ｄ）の４つの頂点（ａ）（ｂ）（ｃ）（ｄ）を接点とする４つの該接点（ａ）（ｂ）（ｃ）（ｄ）を有する円（ｉ）における該円（ｉ）の中心点（ｆ）を、前記蓋体支持脚（１０）を軸支した前記軸（１２）の中心点（ｆａ）として配置し、該正方形（ａ）（ｂ）（ｃ）（ｄ）の上部に位置する任意の１辺（ａ）（ｂ）にある２つの該接点（ａ）（ｂ）の近傍に、前記蓋体（７）の下辺（５３）の両端部（５６）（５６ａ）、および、該蓋体（７）の該下辺（５３）の下部にある前記取付枠（４）の上辺（５４）の両端部（５５）（５５ａ）を、配置した。また、次のようにしてある。該正方形（ａ）（ｂ）（ｃ）（ｄ）の４つの辺である辺（ａ）（ｂ）、辺（ｂ）（ｄ）、辺（ｄ）（ｃ）、辺（ｃ）（ａ）により分割してできた４つの円弧である円弧（ａ）（ｂ）、円弧（ｂ）（ｄ）、円弧（ｄ）（ｃ）、円弧（ｃ）（ａ）において、該任意の１辺（ａ）（ｂ）に対向する１つの円弧（ａ）（ｂ）を該蓋体（７）の該下辺（５３）として該１つの円弧（ａ）（ｂ）近傍に配置してある。また、次のようにしてある。該取付枠（４）の該上辺（５４）を、該蓋体（７）の該下辺（５３）の下部、および、該１つの円弧（ａ）（ｂ）近傍に配置してある。また、次のようにしてもよい。該第１の円弧（ａ）（ｂ）を二等分する点（ｍ）近傍から該円（ｉ）の該中心点（ｆ）まで引いた直線（ｍ）（ｆ）を前記蓋体支持脚（１０）の中心線（ｍａ）（ｆａ）としてもよい。次に、配置した場合の効果について説明する。図２３は、前記従来例のプッシュオン式の容器の簡略図であり、蓋体（７ｍ）の閉じ位置をあらわしている辺（ａａ）（ｂｂ）の位置と、該蓋体（７ｍ）の開き位置をあらわしている辺（ｈ）（ｂｂ）の位置を、同じ図中に各々図示したものである。最初に、前記従来例のプッシュオン式の容器の蓋体が開蓋、閉蓋に要するスペースの断面積を求める。図２３にて、辺（ａａ）（ｂｂ）の長さ及び辺（ｈ）（ｂｂ）の長さを１として、閉蓋から開蓋までの該蓋体（７ｍ）の動作角度を９０度として、πを３．１４とした場合、１２π÷４≒０．７８となる。次に、本発明の一実施形態である、プッシュオン蓋付き容器（９）の辺（ｂ）（ｆ）の長さを求める。図２２にて、正方形（ａ）（ｂ）（ｃ）（ｄ）を４分割したうちのひとつである正方形（ｅ）（ｂ）（ｆ）（ｇ）において、辺（ｅ）（ｂ）の長さ及び辺（ｅ）（ｆ）の長さを１とした場合の辺（ｂ）（ｆ）の長さは（２）１／２である。図２４は、本発明の一実施形態である、プッシュオン蓋付き容器（９）の簡略図であり、記号および大きさは図２２と同一であり、蓋体（７）の閉じ位置をあらわしている円弧（ａ）（ｂ）の位置と、該蓋体（７）の開き位置をあらわしている円弧（ｂ）（ｄ）の位置を、同じ図中に各々図示したものである。次に、プッシュオン蓋付き容器（９）の該断面積を求める。なお、円弧（ａ）（ｂ）と辺（ａ）（ｂ）の間の面積、つまり、図形（ａ）（ｂ）の面積は、蓋体が開蓋、閉蓋に要するスペースの断面積に加算するものとする。図２２、図２４にて、辺（ａ）（ｂ）の長さ及び辺（ｂ）（ｄ）の長さを１として、閉蓋から開蓋までの該蓋体（７）の動作角度を９０度とした場合、（（１÷２×（２）１／２）２π−１×１）÷２≒０．２８となる。よって、同一の大きさの蓋体とした場合、蓋体が開蓋、閉蓋に要するスペースの断面積は、０．７８＞０．２８から、前記従来例のプッシュオン式の容器に比べて本発明のプッシュオン蓋付き容器（９）は小さくて済み、つまり、蓋体が開蓋、閉蓋に要するスペースの容積も小さくて済む。また、図２４のように配置した場合、蓋体の大きさに対する又は投入口の大きさに対する、蓋体が開蓋、閉蓋に要するスペースの比率は最小となる。プッシュオン蓋付き容器（９ｂ）（９ｊ）（９ｋ）においても同じようにしてもよい。
【００７４】
また、次に、同一の大きさの蓋体が開蓋、閉蓋に要するスペースの各々の断面積について前記従来例のプッシュオン式の容器に比べて本発明のプッシュオン蓋付き容器（９）が小さくて済む場合において、前記従来例のプッシュオン式の容器の該断面積と本発明のプッシュオン蓋付き容器（９）の該断面積の差が最小となる、辺（ａ）（ｂ）の長さ及び辺（ｂ）（ｄ）の長さの近似値を求める。図２２〜図２４にて、該正方形（ａ）（ｂ）（ｃ）（ｄ）を仮に長方形として、辺（ａ）（ｂ）の長さをｘ、辺（ｂ）（ｄ）の長さをｙとして、辺（ｂ）（ｆ）の長さを（２）１／２とする。左辺を本発明のプッシュオン蓋付き容器（９）の該断面積、右辺を前記従来例のプッシュオン式の容器の該断面積とすると、（（１÷２×（２）１／２）２π−ｘｙ）÷２≦ｘ２π÷４となり、よって、近似式は、１．５６９≦１．５７ｘ２＋ｘｙとなる。ここで、仮に辺（ｂ）（ｆ）の長さを３０とすると、２８２６≦１．５７ｘ２＋ｘｙとなり、さらに、該３０を半径とする該円（ｉ）の円周上にある任意の点に近似する点において仮にｘを３０、ｙを５１とすると、２８２６＜２９４３となる。つまり、仮に、近似として、辺（ｍ）（ｆ）を３０ｃｍ、辺（ａ）（ｂ）を３０ｃｍ、辺（ｂ）（ｇ）を２５．５ｃｍとしたプッシュオン蓋付き容器（９）でも、前記従来例のプッシュオン式の容器に比べ、同一の大きさの蓋体とした場合、蓋体が開蓋、閉蓋に要するスペースが小さくて済む。プッシュオン蓋付き容器（９ｂ）（９ｊ）（９ｋ）においても同じようにしてもよい。
【００７５】
また、プッシュオン蓋付き容器（９）については、次のように記すこともできる。なお、下記において、文章の構成を考慮して、該バネ（６）を開放用ばね（６）と記載してある。該バネ（６）と開放用ばね（６）は名称が違うだけで全く同一のものである。また、下記の文章において、該バネ（６）と開放用ばね（６）の名称が違うだけで前記の文章と全く同一のものである。プッシュオン蓋付き容器（９）は、図１〜図２にて、上面近傍に開口部（１）を有した容器本体（２）を設け、該容器本体（２）の上縁（３）近傍の周囲に嵌合した取付枠（４）を設け、該取付枠（４）に配置した投入口（５）を開閉する蓋体（７）を設けてある。該蓋体（７）を支持する蓋体支持脚（１０）を該蓋体（７）に一体的に設けてある。該容器本体（２）の側面部（１１）にて該容器本体（２）の前後方向（矢印Ｆ）（矢印Ｂ）に該蓋体支持脚（１０）を回動自在に軸支してある。該容器本体（２）の前方向（矢印Ｆ）の回転を該投入口（５）が開く開き方向とし該容器本体（２）の後方向（矢印Ｂ）の回転を該投入口（５）が閉じる閉じ方向として、または、該容器本体（２）の後方向（矢印Ｂ）の回転を該投入口（５）が開く開き方向（１９）とし該容器本体（２）の前方向（矢印Ｆ）の回転を該投入口（５）が閉じる閉じ方向（２０）としてある。図４にて、該軸支している軸（１２）上で該蓋体支持脚（１０）および該蓋体（７）が平衡により静止する位置（１３）近傍から、図７にて、該開き方向（１９）に該蓋体（７）を回転させ該投入口（５）を該蓋体（７）が開く開き位置（１４）を配置してある。図３にて、該平衡により静止する位置（１３）近傍にて該投入口（５）を該蓋体（７）が閉じる閉じ位置（１５）を配置してある。該開き方向（１９）に付勢する開放用ばね（６）を設け、該閉じ位置（１５）の該蓋体（７）を該開放用ばね（６）により該開き方向（１９）に回転させ設けてある。該蓋体（７）を掛止する揺動自在な掛止部材（８）を該取付枠（４）の一端に設け、該開放用ばね（６）により該開き方向（１９）に回転しようとする該閉じ位置（１５）の該蓋体（７）を該掛止部材（８）で掛止することにより該閉じ位置（１５）で該蓋体（７）が静止する。該掛止部材（８）を手等で押圧することにより、図４にて、掛止していた該蓋体（７）が該閉じ位置（１５）から開放し、該開放用ばね（６）により該開き方向（１９）に該蓋体（７）が回転し、該平衡により静止する位置（１３）近傍から、該蓋体支持脚（１０）および該蓋体（７）の自重による力が加わり該開き方向（１９）に該蓋体（７）が回転する。
【００７６】
また、プッシュオン蓋付き容器（９ｊ）については、次のように記すこともできる。なお、下記において、文章の構成を考慮して、該バネ（６ｊ）を開放用ばね（６ｊ）と記載してある。該バネ（６ｊ）と開放用ばね（６ｊ）は名称が違うだけで全く同一のものである。また、下記の文章において、該バネ（６ｊ）と開放用ばね（６ｊ）の名称が違うだけで前記の文章と全く同一のものである。プッシュオン蓋付き容器（９ｊ）は、図２５〜図２６にて、上面近傍に投入口（５ｊ）を有した容器本体（２ｊ）を設け、開き方向に付勢するように配置した開放用ばね（６ｊ）を介して上記投入口（５ｊ）を開閉する蓋体（７ｊ）を設け、上記蓋体（７ｊ）を掛止する揺動自在な掛止部材（８ｊ）を上記容器本体（２ｊ）の一端に設け、上記掛止部材（８ｊ）を押圧して上記蓋体（７ｊ）が開放できるようにしたプッシュオン蓋付き容器（９ｊ）である。上記蓋体（７ｊ）を支持する蓋体支持脚（１０ｊ）を該蓋体（７ｊ）に一体的に設けてある。上記容器本体（２ｊ）の側面部（１１ｊ）にて該容器本体（２ｊ）の前後方向（矢印Ｆｊ）（矢印Ｂｊ）に該蓋体支持脚（１０ｊ）を回動自在に軸支してある。該容器本体（２ｊ）の前方向（矢印Ｆｊ）の回転を上記投入口（５ｊ）が開く開き方向とし該容器本体（２ｊ）の後方向（矢印Ｂｊ）の回転を該投入口（５ｊ）が閉じる閉じ方向として、または、該容器本体（２ｊ）の後方向（矢印Ｂｊ）の回転を該投入口（５ｊ）が開く開き方向（１９ｊ）とし該容器本体（２ｊ）の前方向（矢印Ｆｊ）の回転を該投入口（５ｊ）が閉じる閉じ方向（２０ｊ）としてある。該軸支している軸（１２ｊ）上で該蓋体支持脚（１０ｊ）および該蓋体（７ｊ）が平衡により静止する位置近傍から、該開き方向（１９ｊ）に該蓋体（７ｊ）を回転させ該投入口（５ｊ）を該蓋体（７ｊ）が開く開き位置を配置してある。該平衡により静止する位置近傍にて該投入口（５ｊ）を該蓋体（７ｊ）が閉じる閉じ位置（１５ｊ）を配置してある。該閉じ位置（１５ｊ）の該蓋体（７ｊ）を上記開放用ばね（６ｊ）により該開き方向（１９ｊ）に回転させ設けてある。該開放用ばね（６ｊ）により該開き方向（１９ｊ）に回転しようとする該閉じ位置（１５ｊ）の該蓋体（７ｊ）を上記掛止部材（８ｊ）で掛止することにより該閉じ位置（１５ｊ）で該蓋体（７ｊ）が静止する。該掛止部材（８ｊ）を手等で押圧することにより、掛止していた該蓋体（７ｊ）が該閉じ位置（１５ｊ）から開放し、該開き方向（１９ｊ）に該開放用ばね（６ｊ）により該蓋体（７ｊ）が回転し、該平衡により静止する位置近傍から、該蓋体支持脚（１０ｊ）および該蓋体（７ｊ）の自重による力が加わり該開き方向（１９ｊ）に該蓋体（７ｊ）が回転する。
【００７７】
なお、本明細書に記載の該バネ（６）（６ｈ）（６ｊ）に代えて、名称を該開放用ばね（６）（６ｈ）（６ｊ）にしてもよい。該バネ（６）（６ｈ）（６ｊ）と該開放用ばね（６）（６ｈ）（６ｊ）は名称が違うだけで全く同一のものである。
【実施例】
【００７８】
次に、本発明の従来例、実施例を示す。表１は、前記従来例のプッシュオン式の容器と本発明のプッシュオン蓋付き容器（９）の測定結果を示す。従来例１のプッシュオン式の容器は、蓋体において、材質がポリプロピレン、面積が２９．５ｃｍ×１８．５ｃｍ＝５４５．７５ｃｍ２、厚さが０．２ｃｍ、重さ５０ｇである市販品を使用した。実施例１および実施例２の本発明のプッシュオン蓋付き容器（９）は、蓋体において、材質がトタン、面積が２６．０ｃｍ×２１．０ｃｍ＝５４６ｃｍ２、厚さが０．０２ｃｍのものを使用し、蓋体支持枠において、材質がトタンおよびポリ塩化ビニルのものを使用し、蓋体および蓋体支持枠において、重さ２８０ｇとなるものを使用した。製造設備の関係から実施例はトタンを主な材質とした。実施例は、該平衡により静止する位置近傍から該閉じ方向に該蓋体を回転させ該投入口を該蓋体が閉じる閉じ位置としてあり、蓋体および蓋体支持枠を軸上において、該平衡により静止する位置から、該閉じ方向に、実施例１は５度、実施例２は１０度、傾斜してある。閉じ位置にある蓋体において、掛止部材で掛止していない状態の蓋体の先端部を測定ポイントとして重さを各々測定した。測定結果より、従来例１と、実施例１および実施例２とを比較すると、後者は、前者に比べ、閉じ位置にある蓋体において、掛止部材で掛止していない状態の蓋体の先端部の重さが小さいことがわかる。さらに、前者の蓋体の重さが５０ｇ、後者の蓋体および蓋体支持枠の重さが２８０ｇであることを考慮すれば、対比により、後者の該先端部の重さが、より小さいものであることが推測できる。本実施例により発生する効果は、次の通りである。蓋体を開く時に掛止部材またはロック機構を解除するために手等で押圧する場合の押圧する力を小さくすることができる。
【００７９】
【表１】
2007297116.tif 000003
【図面の簡単な説明】
【００８０】
【図１】本発明の一実施形態である、プッシュオン蓋付き容器（９）の斜視図である。
【図２】同実施形態である、プッシュオン蓋付き容器（９）を示し、分解して描いた斜視図。
【図３】同実施形態である、プッシュオン蓋付き容器（９）の一部を描いた正面図。
【図４】同実施形態である、プッシュオン蓋付き容器（９）の一部を描いた正面図。
【図５】同実施形態である、プッシュオン蓋付き容器（９）の一部を描いた正面図。
【図６】同実施形態である、プッシュオン蓋付き容器（９）の一部を描いた正面図。
【図７】同実施形態である、プッシュオン蓋付き容器（９）の一部を描いた正面図。
【図８】本発明の他の一実施形態である、プッシュオン蓋付き容器（９ａ）の一部を描いた正面図。
【図９】本発明の一実施形態である、プッシュオン蓋付き容器（９）の斜視図。
【図１０】本発明の他の一実施形態である、プッシュオン蓋付き容器（９）の一部を描いた正面図。
【図１１】本発明の他の一実施形態である、プッシュオン蓋付き容器（９ｂ）の一部を描いた正面図。
【図１２】同実施形態である、プッシュオン蓋付き容器（９ｂ）の一部を描いた正面図。
【図１３】同実施形態である、プッシュオン蓋付き容器（９ｂ）の一部を描いた正面図。
【図１４】本発明の他の一実施形態である、プッシュオン蓋付き容器（９ｃ）の一部を描いた正面図。
【図１５】本発明の他の一実施形態である、プッシュオン蓋付き容器（９ｂ）の一部を描いた正面図。
【図１６】本発明の他の一実施形態である、プッシュオン蓋付き容器（９ｄ）の一部を描いた正面図。
【図１７】本発明の他の一実施形態である、プッシュオン蓋付き容器（９）の一部を描いた正面図。
【図１８】本発明のプッシュオン蓋付き容器の一部を示し、蓋体の拡大部分図。
【図１９】本発明の他の一実施形態である、プッシュオン蓋付き容器（９ｈ）の部分拡大図。
【図２０】本発明の他の一実施形態である、プッシュオン蓋付き容器（９ｉ）の一部を描いた正面図。
【図２１】本発明の一実施形態である、プッシュオン蓋付き容器（９）の部分拡大図。
【図２２】本発明の一実施形態である、プッシュオン蓋付き容器（９）の説明図
【図２３】従来例のプッシュオン式の容器の簡略図
【図２４】本発明の一実施形態である、プッシュオン蓋付き容器（９）の簡略図
【図２５】本発明の他の一実施形態である、プッシュオン蓋付き容器（９ｊ）の斜視図。
【図２６】本発明の他の一実施形態である、プッシュオン蓋付き容器（９ｊ）の一部を描いた正面図。
【図２７】本発明の他の一実施形態である、プッシュオン蓋付き容器（９ｋ）の一部を描いた正面図。
【図２８】本発明の他の一実施形態である、プッシュオン蓋付き容器（９ｎ）の斜視図。
【符号の説明】
【００８１】
（１）        開口部
（２）        容器本体
（２ｂ）      容器本体
（２ｄ）      容器本体
（２ｉ）      容器本体
（２ｊ）      容器本体
（２ｋ）      容器本体
（２ｍ）      容器本体
（２ｎ）      容器本体
（３）        上縁
（４）        取付枠
（４ｂ）      取付枠
（４ｈ）      取付枠
（４ｎ）      取付枠
（５）        投入口
（５ａ）      投入口
（５ｂ）      投入口
（５ｃ）      投入口
（５ｄ）      投入口
（５ｉ）      投入口
（５ｊ）      投入口
（５ｋ）      投入口
（５ｎ）      投入口
（６）        バネ、開放用ばね
（６ｈ）      バネ、開放用ばね
（６ｊ）      バネ、開放用ばね
（７）        蓋体
（７ａ）      蓋体
（７ｂ）      蓋体
（７ｃ）      蓋体
（７ｄ）      蓋体
（７ｈ）      蓋体
（７ｉ）      蓋体
（７ｊ）      蓋体
（７ｋ）      蓋体
（７ｍ）      蓋体
（７ｎ）      蓋体
（８）        掛止部材
（８ｂ）      掛止部材
（８ｄ）      掛止部材
（８ｈ）      掛止部材
（８ｊ）      掛止部材
（８ｋ）      掛止部材
（８ｎ）      掛止部材
（９）        プッシュオン蓋付き容器
（９ａ）      プッシュオン蓋付き容器
（９ｂ）      プッシュオン蓋付き容器
（９ｃ）      プッシュオン蓋付き容器
（９ｄ）      プッシュオン蓋付き容器
（９ｈ）      プッシュオン蓋付き容器
（９ｉ）      プッシュオン蓋付き容器
（９ｊ）      プッシュオン蓋付き容器
（９ｋ）      プッシュオン蓋付き容器
（９ｎ）      プッシュオン蓋付き容器
（１０）      蓋体支持脚
（１０ｂ）    蓋体支持脚
（１０ｄ）    蓋体支持脚
（１０ｉ）    蓋体支持脚
（１０ｊ）    蓋体支持脚
（１０ｋ）    蓋体支持脚
（１０ｎ）    蓋体支持脚
（１１）      側面部
（１１ｂ）    側面部
（１１ｉ）    側面部
（１１ｊ）    側面部
（１１ｎ）    側面部
（１２）      軸
（１２ｂ）    軸
（１２ｄ）    軸
（１２ｊ）    軸
（１２ｎ）    軸
（１３）      平衡により静止する位置
（１３ｂ）    平衡により静止する位置
（１４）      開き位置
（１４ｂ）    開き位置
（１５）      閉じ位置
（１５ａ）    閉じ位置
（１５ｂ）    閉じ位置
（１５ｃ）    閉じ位置
（１５ｄ）    閉じ位置
（１５ｊ）    閉じ位置
（１５ｋ）    閉じ位置
（１６）      コイルばね
（１６ｂ）    コイルばね
（１７）      板ばね
（１７ｂ）    板ばね
（１８）      緩衝用ばね
（１８ｂ）    緩衝用ばね
（１８ｄ）    緩衝用ばね
（１９）      開き方向
（１９ｂ）    開き方向
（１９ｄ）    開き方向
（１９ｉ）    開き方向
（１９ｊ）    開き方向
（１９ｋ）    開き方向
（２０）      閉じ方向
（２０ａ）    閉じ方向
（２０ｂ）    閉じ方向
（２０ｃ）    閉じ方向
（２０ｄ）    閉じ方向
（２０ｊ）    閉じ方向
（２０ｋ）    閉じ方向
（２１）      長さ
（２２）      長さ
（２３）      センターライン
（２４）      コイルばね
（２４ｈ）    コイルばね
（２５）      板ばね
（２６）      巻回部
（２７）      一端部
（２７ａ）    一端部
（２８）      他端部
（２８ａ）    他端部
（２９）      当接部
（３０）      巻回部
（３１）      一端部
（３２）      他端部
（３３）      当接部
（３４）      孔
（３５）      ナット
（３６）      軸
（３７）      孔
（３８ｈ）    一端部
（３９ｈ）    他端部
（４０ｈ）    当接部
（４１ｉ）    案内部
（４２ｉ）    可動部
（４３ｉ）    ストッパー
（４４ｉ）    当接部
（４５ｉ）    任意の位置
（４６ｉ）    任意の位置
（４７ｈａ）  支持片
（４７ｈｂ）  支持片
（４８）      係止片
（４９）      押圧部
（５０）      係止片
（５１）      孔
（５２）      孔
（５３）      下辺
（５４）      上辺
（５５）      両端部
（５５ａ）    両端部
（５６）      両端部
（５６ａ）    両端部
（ａ）        頂点、接点
（ａａ）      点
（ｂ）        頂点、接点
（ｂｂ）      点
（ｃ）        頂点、接点
（ｄ）        頂点、接点
（ｅ）        点
（ｆ）        中心点
（ｆａ）      中心点
（ｇ）        点
（ｈ）        点
（ｉ）        円
（ｍ）        点
（ｍａ）      点
（Ｌ）        長さ
（Ｌａ）      長さ
（Ｌｂ）      長さ
（Ｒ）        長さ
（矢印Ｂ）    後方向
（矢印Ｂｊ）  後方向
（矢印Ｆ）    前方向
（矢印Ｆｊ）  前方向
（矢印Ｘ１）  方向
（矢印Ｘ２）  方向
【図１】
2007297116.tif 000004
【図２】
2007297116.tif 000005
【図３】
2007297116.tif 000006
【図４】
2007297116.tif 000007
【図５】
2007297116.tif 000008
【図６】
2007297116.tif 000009
【図７】
2007297116.tif 000010
【図８】
2007297116.tif 000011
【図９】
2007297116.tif 000012
【図１０】
2007297116.tif 000013
【図１１】
2007297116.tif 000014
【図１２】
2007297116.tif 000015
【図１３】
2007297116.tif 000016
【図１４】
2007297116.tif 000017
【図１５】
2007297116.tif 000018
【図１６】
2007297116.tif 000019
【図１７】
2007297116.tif 000020
【図１８】
2007297116.tif 000021
【図１９】
2007297116.tif 000022
【図２０】
2007297116.tif 000023
【図２１】
2007297116.tif 000024
【図２２】
2007297116.tif 000025
【図２３】
2007297116.tif 000026
【図２４】
2007297116.tif 000027
【図２５】
2007297116.tif 000028
【図２６】
2007297116.tif 000029
【図２７】
2007297116.tif 000030
【図２８】
2007297116.tif 000031